(57)【特許請求の範囲】
【請求項１】
複数のチャンネルを各々が含む複数の波長帯を用いて光信号を送信するシステムであって、
トラフィックを複数のＷＤＭ（波長分割多重）モジュールに分配するように構成されたトラフィック分配回路と、
前記トラフィック分配回路に結合されており第１の複数個の調整可能な光送信機と第１のマルチプレクサとを含む第１のＷＤＭモジュールであって、
前記第１の複数個の調整可能な光送信機の各々が、前記複数の波長帯のうちの異なる波長帯に関連付けられており、且つ、該関連付けられている波長帯に含まれる第１のチャンネルに光信号を送信するように調整されており、
前記第１のマルチプレクサが、前記第１の複数個の調整可能な送信機に結合されており、且つ、前記第１の複数個の調整可能な送信機から送信された前記光信号を合成して第１の光信号にするように構成されている、
前記第１のＷＤＭモジュールと、
前記トラフィック分配回路に結合されており第２の複数個の調整可能な光送信機と第２のマルチプレクサとを含む第２のＷＤＭモジュールであって、
前記第２の複数個の調整可能な光送信機の各々が、前記複数の波長帯のうちの異なる波長帯に関連付けられており、且つ、該関連付けられている波長帯に含まれる第２のチャンネルに光信号を送信するように調整されており、
前記第２のマルチプレクサが、前記第２の複数個の調整可能な送信機に結合されており、且つ、前記第２の複数個の調整可能な送信機から送信された前記光信号を合成して第２の光信号にするように構成されている、
前記第２のＷＤＭモジュールと、
前記第１および前記第２のＷＤＭモジュールに結合されており、且つ、前記第１および前記第２の光信号を合成して光出力信号にするように構成されたサイクリックマルチプレクサであって、
前記第１のＷＤＭモジュールから出力される前記第１の光信号における前記複数の波長帯に含まれる前記第１のチャンネルを受信するように構成された第１の入力ポートと、
前記第２のＷＤＭモジュールから出力される前記第２の光信号における前記複数の波長帯に含まれる前記第２のチャンネルを受信するように構成された第２の入力ポートと、
前記第１および前記第２の光信号を合成した前記光出力信号を出力するように構成された主出力と、
前記第１および前記第２の入力ポートのうちの一つで受信されるオフセット信号であって、該オフセット信号が受信される入力ポートが受信するように構成されている前記チャンネルの一つとは別のチャンネルで送信された該オフセット信号を出力するように構成されたオフセットチャンネル出力と、
を含む前記サイクリックマルチプレクサと、
を含むシステム。
【請求項２】
さらに、少なくとも前記第１および前記第２のＷＤＭモジュールに結合され、前記第１および前記第２の光信号のパワーを測定するように構成されたパワーモニタを含む、請求項１のシステム。
【請求項３】
前記パワーモニタは前記測定されたパワーに基づいて関連するＷＤＭモジュールの一つ以上の調整可能な光送信機の故障を検知するように構成される、請求項２のシステム。
【請求項４】
さらに、前記パワーモニタに結合され、前記測定されたパワーを目標パワーと比較し、前記比較に基づいて調整可能な光送信機が故障しているかどうかを決定するように構成されたコントローラを含む、請求項２のシステム。
【請求項５】
さらに、前記オフセットチャンネル出力に結合され、前記オフセットチャンネル出力でパワーを測定するように構成されたオフセットモニタを含む、請求項１のシステム。
【請求項６】
前記オフセットモニタは、前記第１および前記第２の光信号の任意の部分の第１および第２のチャンネルの少なくとも一つからの波長ドリフトを検知するように構成されている。請求項５のシステム。
【請求項７】
さらに、前記第１および前記第２のＷＤＭモジュールのそれぞれに結合され、前記ＷＤＭモジュール自身が故障した送信機を含むときに、故障の発生を示すように構成された故障送信機インディケータを含む、請求項１のシステム。
【請求項８】
前記第１および前記第２のＷＤＭモジュールは、トランスポンダに設けられているスロットに挿入されるものであって、前記トランスポンダに関する前記第１および前記第２のＷＤＭモジュールの容易な挿入および取り出しを可能とするために、前記トランスポンダに関してプラグ着脱可能なように構成されている、請求項１のシステム。
【請求項９】
前記第１および前記第２のＷＤＭモジュールはそれぞれ、トランスポンダに設けられているスロットに挿入されることによって前記トランスポンダに結合するように構成され、前記トランスポンダに結合される光学的インタフェイスおよび電気的インタフェイスの両方が、モジュールにおける同一の端部に配置されている、請求項１のシステム。
【請求項１０】
複数のチャンネルを含む複数の波長帯を用いて光信号を送信する方法であって、
トラフィック分配回路によって、トラフィックを複数のＷＤＭ（波長分割多重）モジュールに分配することと、
第１のＷＤＭモジュールに含まれる第１の複数個の調整可能な光送信機であって、各々が前記複数の波長帯のうちの異なる波長帯に関連付けられている前記第１の複数個の調整可能な光送信機を、前記複数の波長帯のうちの該関連付けられている波長帯に含まれる第１のチャンネルに調整することと、
前記第１の複数個の調整可能な送信機によって光信号を前記第１のチャンネルに送信することと、
前記第１の複数個の調整可能な送信機に結合された第１のマルチプレクサによって、前記第１の複数個の調整可能な送信機から送信された前記光信号を合成して第１の光信号とすることと、
第２のＷＤＭモジュールに含まれる第２の複数個の調整可能な光送信機であって、各々が前記複数の波長帯のうちの異なる波長帯に関連付けられている前記第２の複数個の調整可能な光送信機を、前記複数の波長帯のうちの該関連付けられている波長帯に含まれる第２のチャンネルに調整することと、
前記第２の複数個の調整可能な送信機によって光信号を前記第２のチャンネルに送信することと、
前記第２の複数個の調整可能な送信機に結合された第２のマルチプレクサによって、前記第２の複数個の調整可能な送信機から送信された前記光信号を合成して第２の光信号とすることと、
前記第１および前記第２のＷＤＭモジュールに結合されたサイクリックマルチプレクサであって、
前記第１のＷＤＭモジュールから出力される前記第１の光信号における前記複数の波長帯に含まれる前記第１のチャンネルを受信するように構成された第１の入力ポートと、
前記第２のＷＤＭモジュールから出力される前記第２の光信号における前記複数の波長帯に含まれる前記第２のチャンネルを受信するように構成された第２の入力ポートと、
前記第１および前記第２の光信号を合成した光出力信号を出力するように構成された主出力と、
前記第１および前記第２の入力ポートのうちの一つで受信されるオフセット信号であって、該オフセット信号が受信される入力ポートが受信するように構成されている前記チャンネルの一つとは別のチャンネルで送信された該オフセット信号を出力するように構成されたオフセットチャンネル出力と、
を含む前記サイクリックマルチプレクサによって、前記第１および前記第２の光信号を合成して前記光出力信号にすることと、
前記サイクリックマルチプレクサによって、前記光出力信号と前記オフセット信号とを出力することと、
を含む方法。
【発明の詳細な説明】
【技術分野】
【０００１】
本開示は全般的に光通信ネットワークに関し、特に、波長分割マルチプレクシング（ＷＤＭ）モジュールを用いて光信号を送信する方法およびシステムに関する。
【背景技術】
【０００２】
通信システム、ケーブルテレビシステムおよびデータコミュニケーションネットワークは、遠点間を大きな情報の量を迅速に伝達するために光ネットワークを用いる。光ネットワークでは、情報は光ファイバを通じて光信号の形態で伝達される。光ファイバは、非常に低い損失で長い距離にわたり光信号を通信することが可能なガラスの薄いストランドを含む。光ネットワークはしばしば、伝達容量を増やすために、波長分割マルチプレクシング（ＷＤＭ）または高密度波長分割マルチプレクシング（ＤＷＤＭ）を使用する。ＷＤＭおよびＤＷＤＭネットワークでは、多くのネットワークチャンネルが各ファイバ中を異なる周波数で運ばれ、それによってネットワーク容量が増加する。
【０００３】
ＷＤＭおよびＤＷＤＭネットワークでは、光送信機が、各チャンネルが一つの送信機に対応するように、光チャンネルで光信号を送信する。要求されるチャンネルの数が増加するにつれ、要求される送信機の数は増加する。また、送信機の数が増加するにつれ、送信機の一つが故障するかも知れない尤度は増加する。慣例では、送信機の交換は煩雑で、費用が掛かり得るが、故障の発生率を減らすために高品質送信機を製造することもまた費用が掛かる。
【発明の概要】
【０００４】
本開示に従うと、波長分割多重化光信号を送信するための、低減されたコストの光トランスポンダを与えることに関連する不利益および問題が低減され得る。
本開示の一実施形態に従うと、各波長帯は複数のチャンネルを含む複数の波長帯を用いて光信号を送信するためのシステムは、トラフィックを複数の波長分割マルチプレクシング（ＷＤＭ）モジュールに分配するように構成されたトラフィック分配回路を含む。システムはさらに、第１のＷＤＭモジュールを含む。第１のＷＤＭモジュールは、各送信機が複数の波長帯の異なる波長帯に関連する、第１の複数個の調整可能な光送信機を含む。各送信機はまた、送信機の関連する波長帯内に含まれる第一のチャンネル内で光信号を送信するように調整される。第１のＷＤＭモジュールはさらに、第１の複数個の送信機に結合され、第１の複数個の光送信機から送信された光信号を結合して第１の光信号とするように構成された第１のマルチプレクサを含む。システムはまた、第２の複数個の調整可能な光送信機を含む、第２のＷＤＭモジュールを含む。第２のＷＤＭモジュール中の各送信機は、複数の波長帯の異なる波長帯に関連し、送信機の関連した波長帯内に含まれる第２のチャンネル内に光信号を送信するように調整されている。第２のＷＤＭモジュールはまた、第２の複数個の光送信機に結合され、第２の複数個の光送信機から送信された光信号を結合して第２の光信号とするように構成された第２のマルチプレクサを含む。システムはさらに、第１および第２のＷＤＭモジュールに結合され、第１および第２の光信号を光出力信号へと結合するように構成されたサイクリックマルチプレクサを含む。
【０００５】
別の実施形態に従うと、各波長帯は複数のチャンネルを含む、複数の波長帯を用いて光信号を送信する方法は、トラフィック分配回路によって、トラフィックを複数の波長分割マルチプレクシング（ＷＤＭ）モジュールに分配することを含む。方法はさらに、第１のＷＤＭモジュールに含まれる第１の複数個の調整可能な光送信機を、複数の波長帯の各々内に含まれる第１のチャンネルに調整することを含む。第１のＷＤＭモジュール内の各送信機は、複数の波長帯の異なる波長帯に関連する。方法はさらに、第１の複数個の送信機によって、第１のチャンネル内に光信号を送信すること、および第１の複数個の送信機に結合された第１のマルチプレクサによって、第１の複数個の送信機から送信された光信号を結合して第１の光信号にすることを含む。方法はまた、第２のＷＤＭモジュールに含まれる第２の複数個の調整可能な光送信機を、複数の波長帯の各々内に含まれる第２のチャンネルに調整することを含む。第２のＷＤＭモジュール内の各送信機は、複数の波長帯の異なる波長帯に関連する。方法はさらに、第２の複数個の送信機によって、第２のチャンネル内に光信号を送信すること、および第２の複数個の送信機に結合された第２のマルチプレクサによって、第２の複数個の送信機から送信された光信号を結合して第２の光信号とすることを含む。加えて、方法は、第１および第２のＷＤＭモジュールに結合されたサイクリックマルチプレクサによって、第１および第２の光信号を光出力信号へと結合することを含む。
【図面の簡単な説明】
【０００６】
本発明、およびその利点のより完全な理解のために、ここで添付の図面に関連してなされる以下の記載の参照を行う。
【図１Ａ】波長分割マルチプレクサ（ＷＤＭ）モジュールとインタフェイスするように構成された複数のトランスポンダを含むシステムの例を示している。
【図１Ｂ】ＷＤＭモジュールの例を示している。
【図２】複数のＷＤＭモジュールを含むモジュラトランスポンダの例を示している。
【図３】複数のチャンネルを含む複数の周波数帯を示している。
【図４】複数のＷＤＭモジュールとインタフェイスするための方法の例を示している。
【図５】ＷＤＭモジュール内の送信機が故障しているかどうかを決定するための方法の例を示している。
【図６】故障した送信機を特定するための方法の例を示している。
【図７】送信機の波長ドリフトを検知するための方法の例を示している。
【図８】ドリフトした波長を有する送信機を配置する方法の例を示している。
【図９】ＷＤＭモジュールを構成するための方法の例を示している。
【図１０】トランスポンダ内の稼動中のおよび予備の送信機の実装および利用の例を示している。
【図１１】トランスポンダの予備のモジュールおよび予備のスロットを利用するための方法の例を示している。
【図１２】故障した送信機内のモジュールを交換するための方法の例を示している。
【図１３】予備のスロットなしに、アクティブなおよび予備のモジュールを利用する実施形態の例を示している。
【図１４】トランスポンダ内の二つの予備のスロットを占める二つの予備のモジュールを利用する方法の例を示している。
【図１５】モジュールを故障した送信機と交換するための方法の別の例を示している。
【発明を実施するための形態】
【０００７】
本開示およびその利点の実施形態は、図１〜１５を参照することによって最もよく理解されるが、類似の数字は類似の対応する部分を指すために使用される。
図１は、波長分割マルチプレクサ（ＷＤＭ）モジュール１０４とインタフェイスするように構成された複数のモジュラトランスポンダ１０２を含むシステムの例１００を示している。以下で記載するように、各モジュールは、光波長の帯域の特定の光チャンネルで光トラフィックを送信するように構成されている。
【０００８】
トランスポンダ１０２は、任意の光ネットワークに含まれていて良い。光ネットワークは、光信号を用いて互いの間、情報を送信するように構成された複数の光コンポーネントを含み得る。光ネットワークは、光ネットワークのコンポーネントによって通信される一つ以上の光信号を伝送するように構成されたファイバを含み得る。
【０００９】
光ネットワークは、特定の波長またはチャンネルで光信号を送信し得る。各チャンネルは、ファイバに沿って、ある量の情報を運ぶように構成され得る。光ネットワークの情報運搬可能量を増加させるために、複数のチャンネルで送信された複数の光信号は、一本のファイバを介して送信され得る一つの光信号へと結合されても良い。
【００１０】
一つの光信号の複数のチャンネルで情報を通信するプロセスは、光学では、波長分割マルチプレクシング（ＷＤＭ）と呼ばれる。高密度波長分割マルチプレクシング（ＤＷＤＭ）は、通常は４０より大きい、大きい（高い密度の）数の波長をファイバに多重化することを指す。ＷＤＭ、ＤＷＤＭ、または他の多重波長送信技術は、光ファイバあたりの総帯域幅を増加させるために光ネットワークで利用される。ＷＤＭまたはＤＷＤＭなしには、ネットワーク中の帯域幅は単一の波長のビットレートに制限されるであろう。
【００１１】
光ネットワークは、特定のチャンネルで光信号を送信するように構成された光送信機を含む。各チャンネルは、異なる送信機に対応し得る。よって、光ネットワークによってより多くのチャンネルが利用されると、ネットワークが必要とする送信機は多くなる。光ネットワークの帯域幅およびチャンネル要求が増えるにつれ、要求される送信機の数も増加する。しかしながら、送信機の数が増加するにつれ、送信機の一つが故障するかも知れない尤度も増加する。
【００１２】
個々の送信機を交換することは、煩雑で、費用が掛かる可能性がある。慣例では、多くの送信機を利用するシステム（たとえば、ＤＷＤＭシステム）の送信機故障の尤度を減らすために、送信機は厳しい基準で製造され得る。しかしながら、厳しい基準で製造された送信機は高価であり、多くの送信機を使用するシステムに実装することは、非常に高いコストが掛かり得る。さらに、各送信機は異なるチャンネルに対応し、結果として異なる波長で送信するので、個々の送信機の交換は、専用の送信機を注文すること、または少なくとも、多くの異なる送信機を製造し、手元に持つ必要があり得る。
【００１３】
よって、故障し、標準化された送信機を容易に交換し、回避するための方法およびシステムは、コストを下げ、より効率的な光システムを実装するために有利であり得る。様々なチャンネルで光信号を送信し得る、少数の異なる調整可能な送信機を有することは、特定のチャンネルで送信する専用送信機に対する要求を低減し、よって故障した送信機の交換を容易にし得る。交換が容易で、取替え可能な送信機は、交換する故障した送信機のコストを下げ得る。さらに、低い交換コストを有する送信機は、それほど厳しくない仕様に従って製造され得て、低いコストで製造され得る。送信機が高い率で故障するとしても、高価ではない、交換が容易な送信機を交換するコストは、厳しい基準に従って製造された高価な送信機を有するシステムを実装することより低いかも知れない。
【００１４】
図１Ａに戻って、トランスポンダ１０２は、光システムに送信機を実装することに伴うコストを減らすために、容易に取替可能かつ交換可能で、低コストで、プラグ着脱可能なＷＤＭモジュール１０４とインタフェイスするように構成され得る。ＷＤＭ１０４は、光ネットワーク内に光信号を送信するように構成された、任意のシステムデバイスまたは装置を含み得る。トランスポンダ１０２は、ＷＤＭモジュール１０４を受けるように構成された（明示的には示されていない）複数のスロットであって、各スロットが異なるＷＤＭモジュール１０４を受けるように構成された複数のスロットを含み得る。
【００１５】
各スロットおよびプラグ着脱可能なＷＤＭモジュール１０４は、互いに対応する光インタフェイスを含み得る。したがって、スロットに関連する光インタフェイスは、トランスポンダ１０２が各スロットに挿入された各ＷＤＭモジュール１０４に光学的に結合する、および光学的にインタフェイスすることを可能とするために、ＷＤＭモジュール１０４に関連する光インタフェイスに結合するように構成され得る。スロットとＷＤＭモジュール１０４の間の光学的インタフェイスは、光ファイバを必要としなくても良い光学的結合を許容し、よって、トランスポンダ１０２に対するＷＤＭモジュール１０４の挿入と取外しを容易にし得る。
【００１６】
加えて、各スロットおよびプラグ着脱可能なＷＤＭモジュール１０４は、互いに対応する電気的インタフェイスを含み、光学的インタフェイスと同じ端に配置され得る。スロットに関連する電気的インタフェイスは、トランスポンダ１０２が各スロットに挿入された各ＷＤＭモジュール１０４に電気的に結合される、および電気的にインタフェイスすることを可能とするために、ＷＤＭモジュール１０４に関連する電気的インタフェイスに結合されるように構成され得る。同じ端に配置された電気的および光学的インタフェイスはまた、トランスポンダ１０２に対してＷＤＭモジュール１０４が容易な挿入または取外しを可能とし得る。
【００１７】
各ＷＤＭモジュール１０４は、複数の調整可能な光送信機を含み得る。送信機は特定のチャンネルで光信号を送信するように調整され得て、ＷＤＭモジュール１０４は、光信号を一つの光信号に波長分割多重化するように構成され得る。
【００１８】
各ＷＤＭモジュール１０４は、他のＷＤＭモジュール１０４と同一であっても良い。各各ＷＤＭモジュール１０４を有する送信機は、複数の波長で送信するように調整可能であるので、個々の、チャンネル専用送信機に対する要求は低減され得る。よって、各ＷＤＭモジュール１０４の個々の送信機は、他のＷＤＭモジュール１０４で個々の送信機として、同一のチャンネルで光信号を送信するように構成され得る。一つの取替可能なＷＤＭモジュールを有することは、故障した送信機に対して専用の交換送信機を必要とする代わりに、あるＷＤＭモジュールで一つ以上の故障した送信機を交換するために、一種類のＷＤＭモジュールを製造しなければならないだけなので、コストを低くすることができる。
【００１９】
図１Ｂは、トランスポンダ１０２とインタフェイスを取り得るＷＤＭモジュール１０４の実施形態の例を示している。ＷＤＭモジュール１４０およびトランスポンダ１０２のスロットは、ＷＤＭ１０３の容易な挿入および取外しが可能となるように構成され、よって、ＷＤＭモジュール１０４中の送信機が故障したとしても、ＷＤＭモジュール１０４の交換を容易にし得る。したがって、ＷＤＭ１０４を交換することに関連する労務費およびネットワーク非有用性コストの両方は、故障した送信機を交換するための従来の方法およびシステムと比べて比較的低くなり得る。
【００２０】
ＷＤＭ１０４中の送信機は、他のシステムで用いられている送信機よりも、シンプルで、高価ではない送信機を含み得る。ＷＤＭモジュール１０４を交換することの容易さは、他のシステムの送信機を交換することに比べて、労力を要することのない容易な処理（ｓｔｅｐ）を要求し得る。したがって、ＷＤＭ送信機１０４での送信機故障はまた、より少ない労務費および製造コストを要求し、よって非常に厳しい基準で製造される高価な送信機を用いる必要を低減し得る。
【００２１】
図２に関して以下で記述されるように、トランスポンダ１０２はまた、トランスポンダに関連する各ＷＤＭモジュール１０４の光信号を、一つ以上の光出力ポート１０６からファイバ１０８に送出される一つの光出力信号へと組み合わせるように構成され得る。トランスポンダ１０２は、入力ポート１１０からの光入力信号を受信するように構成された（明示的に示されていない）一つ以上の光受信機を含み得る。ファイバ１０８は、シングルモードファイバ（ＳＭＦ）またはマルチモードファイバ（ＭＭＦ）のような、光信号を運ぶための適切なタイプのファイバを含み得る。
【００２２】
トランスポンダ１０２はまた、ＷＤＭモジュール１０４に含まれる送信機によって、光出力ポート１０５を介して送信されるであろう光信号に変換され得る電気信号を受信するように構成され得る（明示的に示されていない）一つ以上の電気入力ポートを含み得る。
【００２３】
トランスポンダ１０２に含まれる複数のＷＤＭモジュール１０４は、予備のＷＤＭモジュール１０４とアクティブなＷＤＭモジュール１０４を含み得る。予備およびアクティブなＷＤＭモジュール１０４は、同じ基準のＷＤＭモジュール１０４を含み得るが、異なる機能を果たし得る。当初には、トランスポンダ１０２は、アクティブなＷＤＭモジュール１０４内の送信機に関連するアクティブなチャンネルに光送信のための電気信号を送信し得る。しかしながら、もしアクティブなチャンネルが故障する（たとえば、アクティブなＷＤＭモジュール内の送信機が故障する）と、トランスポンダ１０２は、故障したチャンネルに関連する送信機に行き掛けている電気信号を予備のチャンネルに関連する予備のＷＤＭモジュール１０４内の予備の送信機に送信し得る。したがって、信号は、故障したチャンネルに関連する送信機の代わりに、予備の送信機に関連する予備のチャンネルに送られている。
【００２４】
チャンネルに関連する送信機の故障により、一般にチャンネルは故障する。それゆえ、本開示は特に送信機の故障を議論する。しかしながら、本開示は、そのようには限定されるべきではない。送信機の故障が広く記載されるが、ダウンした受信機、チェンネルに関連する別のコンポーネント、他などの他の要因による任意のチャンネルの故障は、トランスポンダ１０２に、故障したチャンネルに関連した送信機から、予備のチャンネルに関連した送信機への切換えを引き起し得る。
【００２５】
予備のＷＤＭモジュール１０３なしには、システムの帯域幅を保持し、故障した送信機に関連する故障したチャンネルに送られているデータの損失を防ぐために、アクティブなＷＤＭモジュール１０４は、アクティブなＷＤＭモジュール１０４に含まれる任意の送信機の故障の際には、交換される必要があるであろう。しかしながら、予備のチャンネルに関連する送信機を有する予備のＷＤＭモジュールがあると、故障した送信機に関連する一つ以上の送信機を有するアクティブなＷＤＭモジュール１０４が交換される必要があり得る前に、複数のアクティブなＷＤＭモジュール１０４の送信機に関連する複数のチャンネルが故障しても良い。よって、予備のＷＤＭモジュール１０４は、保守および交換のための訪問の回数を減らし得て、それはコストをさらに低減し得る。
【００２６】
ＷＤＭ１０４はまた、インディケータ１１２を含み得る。インディケータ１１２は、インディケータに関連するＷＤＭモジュール１０４が故障したチャンネルに関連する送信機（たとえば、故障した送信機）を有するときに、指示を出し得る。よって、インディケータ１１２はさらに、交換される必要のあるこれらのモジュールを容易に特定することによって、ＷＤＭモジュール１０４の交換を容易にする。インディケータは、要求されるまたは好ましい交換順序または交換の緊急性のレベルを指示し得る。インディケータ１１２は、モジュール１０４は故障した送信機を含むことを指示し得る任意のシステム、装置、デバイスを含み得る。実施形態によっては、インディケータ１１２は、発光ダイオード（ＬＥＤ）または任意の他の適切なデバイスを含み得る。実施形態によっては、インディケータ１１２は、送信機は故障しているが、どの送信機が故障しているかは特定していないことを指示し得る。他の実施形態では、インディケータ１１２は、その送信機２０４が故障しており、いくつの送信機２０４が故障しているのか、またはその両方を指示し得る。インディケータはまた、故障が予想される時刻やＷＤＭモジュールの他の特性など追加の情報を指示し得る。
【００２７】
追加、修正、または省略が、本開示の範囲から逸脱しない範囲で図１Ａおよび１Ｂに施され得る。たとえば、システム１００は、任意の数のトランスポンダ１０２を含み得て、図示されたちょうど２つのトランスポンダ１０２ではないかも知れない。さらに、各トランスポンダ１０２は、図示されているものより多い、または少ないＷＤＭモジュールを含み得る。ＷＤＭモジュール１０４およびトランスポンダ１０２の数は、実装されているシステムの限界および要求に依存し得る。
【００２８】
図２は、複数のＷＤＭモジュール１０４を含むトランスポンダ１０２の例をより詳細に示している。トランスポンダ１０２は、シリアライザ／でシリアライザスイッチ（ＳｅｒＤｅｓスイッチ）２０２、各々が複数の調整可能な光送信機（Ｔｘ）２０４を含み得る、複数のＷＤＭモジュール１０４、およびマルチプレクサ２０６を含み得る。トランスポンダ１０２はさらに、ＷＤＭモジュール１０４の出力およびサイクリックマルチプレクサ２１０に結合されたパワーモニタ２０８を含み得る。サイクリックマルチプレクサ２１０は、出力１０６およびオフセット出力２１４を含み得る。トランスポンダ１０２はまた、コントローラ２１６を含み得る。
【００２９】
ＳｅｒＤｅｓスイッチ２０２は、直列信号を受け、並列出力中にその信号を送信するように構成された任意の装置、システムまたはデバイスであり得る。本実施形態では、ＳｅｒＤｅｓスイッチ２０２は、一つ以上の電気入力信号を受け、複数のＷＤＭモジュール１０４に含まれる送信機２０４中にこれらの電気入力信号を送信するように構成され得る。ＳｅｒＤｅｓスイッチ２０２はまた、アクティブなＷＤＭモジュール１０４に含まれる故障した送信機２０４に電気信号を送ることから、予備のＷＤＭモジュール１０４に含まれる予備の送信機にこれらの電気信号を送ることに切り替えるように構成され得る。したがって、ＳｅｒＤｅｓスイッチ２０２は、故障した送信機に関連する故障したチャンネルから予備のチャンネルに関連した予備のチャンネルに経路変更するために用いられ得る。
【００３０】
ＳｅｒＤｅｓスイッチ２０２は、コントローラ２１６に結合され得る。コントローラ２１６は、計算または動作を実行し、またトランスポンダ１０２中の他のコンポーネントが動作を実行するように指示するように構成された任意のシステム、装置またはデバイスを含み得る。たとえば、コントローラ２１６は、ＷＤＭモジュール１０４中の一つの送信機２０４から、同一または異なるＷＤＭモジュール１０４に含まれる別の送信機にトラフィックを送るように切り替えるようにＳｅｒＤｅｓスイッチ２０２に指示するまたは制御し得る。
【００３１】
コントローラ２１６は、プロセッサおよびメモリを含み得る。メモリは情報、命令または両方を記憶し得るし、プロセッサは記憶された情報に関する命令を実行するように構成され得る。一つのコントローラ２１６だけが示されているが、トランスポンダ１０２は一つ以上のコントローラ２１６を含み得る。さらに、トランスポンダ１０２内の個々のコンポーネント１０２はまた、一つ以上のコントローラを含み得る。たとえば、トランスポンダ１０２は、ＳｅｒＤｅｓスイッチ２０２およびコントローラ２１６を含むトラフィック分配回路を含み得る。トラフィック分配回路に含まれるコントローラ２１６は、ＳｅｒＤｅｓスイッチ２０２によりトラフィックの分布を制御するように構成され得る。加えて、トランスポンダ１０２は、トランスポンダ１０２の別のコンポーネントを制御するように構成された別のコントローラ２１６を含み得る。
【００３２】
ＷＤＭモジュール１０４に含まれる送信機２０４は、ＳｅｒＤｅｓスイッチ２０２に通信可能に結合され得る。各送信機２０４はレーザおよびモジュレータであって、電気信号を光信号に変換し、光ネットワークを介して光信号を送信するように構成された任意のシステム、装置またはデバイスであり得る。たとえば、送信機２０４はそれぞれ、電気入力信号を受け、電気入力信号に含まれる情報をレーザによって生成される光の波長またはチャンネルに変換し、情報を含む光の波長を光信号としてファイバを介して送信するように構成されたレーザおよびモジュレータを含み得る。
【００３３】
ＷＤＭモジュール１０４中の各送信機２０４は、特定の異なる波長帯に関連し得る。さらに、各送信機２０４は、各々の波長帯に含まれるチャンネルに光信号を送信するように調整され得る。
【００３４】
各波長帯内の異なるチャンネルに調整可能であることのより、ＷＤＭモジュール１０４内の各送信機２０４は、特定のチャンネルで光信号を送信する専用送信機を有する代わりに、様々なチャンネルで光信号を送信し得る。さらに、異なる波長帯内のチャンネルで光信号を送信するように調整可能なように構成された複数の送信機２０４を有することによって、多数の異なる送信機２０４を必要とすることなくより多くのチャンネルが利用可能であり得る。
【００３５】
加えて、波長の全スペクトルの代わりに限定された波長帯にわたり調整可能である送信機２０４を有することによって、各送信機２０４はそれほど高価ではないであろうし、さらに、コストを減少させ得る。しかしながら、波長帯のサイズは相変わらず、システム内の異なるチャンネルで送信する必要のある、より少数の異なる送信機２０４を要求するであろうが、それは多くの異なる送信機２０４を製造する必要性を減らし得る。よって、多くの異なる送信機２０４を製造することに関連するコストは、相変わらず限定的である。
【００３６】
各ＷＤＭモジュール１０４中の異なる送信機２０４の数は、波長帯の数に制限され得る。したがって、一つのＷＤＭモジュール１０４に含まれる必要がある異なる送信機の数は制限され、よってコストを減らす。代替として、全スペクトルをカバーするが、必要なスペクトルに関連する指定の波長帯外を指定するように動作しなければならないという要求はない、一つのタイプの調整可能な送信機が用いられ得る。図示された実施形態は、４つの波長帯を利用する。よって、各ＷＤＭモジュール１０４は、各送信機２０４は異なる波長帯に相当する、４つの異なる送信機を含み得る。しかしながら、他のシステムは、本開示の範囲を逸脱することなく、システムの要求および制限に依存して、より多くまたはより少ない送信機２０４を含み得る。
【００３７】
波長帯に含まれる波長およびチャンネルをさらに説明するために、ここで図３を参照する。図３は、複数のチャンネルを含む複数の波長帯を示している。本例では、スペクトル３００は４つの等価な波長帯−バンド３０２Ａ、バンド３０２Ｂ、バンド３０２Ｃ、およびバンド３０２Ｄに分割され得る。各バンド３０２は、スペクトル３００内の波長の領域を表し得る。
【００３８】
各バンド３０２はまた、さらに複数のチャンネル３０４に分割され得る。各チャンネル３０４は、各チャンネル３０４は、各バンド３０２内の離散波長を含み得る、または離散波長に関連し得る（たとえば、離散波長の周りに中心化され得る）。本例では、各バンド３０２は３０個の離散チャンネル３０４を含み得る。たとえば、バンド３０２Ａは、チャンネル３０４Ａ−１、３０４Ａ−２、３０４Ａ−３、３０４Ａ−１．．．３０４Ａ−３０を含み得る。したがって、本例では、もしスペクトル３００内の各チャンネルが光信号の送信に使われるなら、１２０個の異なるチャンネルが使われ得る（４バンド×３０チャンネル／バンド＝１２０チャンネル）。
【００３９】
本例では、スペクトル３００は３０個のチェンネル３０４を含む４つのバンド３０２を含むように示されているが、本開示はそのようには限定されるべきではない。バンドまたはチャンネルの数は、システム要求および能力に依存して、より多くまたはより少なくなり得る。たとえば、バンドの数はシステムに実装されるチャンネルの数および送信機２０４の調整スペクトルに依存し得る。
【００４０】
図２に戻ると、モジュール１０４中の各送信機２０４は、図３に示されている波長帯に対応し得る。たとえば、モジュール１０４−１に含まれる送信機２０４Ａ−１は、バンド３０２Ａに対応し得て、送信機２０４Ｂ−１はバンド３０２Ｂに対応し得て、送信機２０４Ｃ−１はバンド３０２Ｃに対応し得て、そして送信機２０４Ｄ−１はバンド３０２Ｄに対応し得る。モジュール１０４−２から１０４−３０に含まれる送信機２０４はまた同様に、バンド３０２Ａ−３０２Ｄに対応し得る。
【００４１】
モジュール１０４内の各送信機２０４はまた、そのモジュール１０４に対応する特定のチャンネルに調整され得る。たとえば、モジュール１０４−１は、各バンド３０２の第１のチャンネルに対応し得る。よって、送信機２０４Ａ−１は、バンド３０２Ａのチャンネル３０４Ａ−１に調整され得て、送信機２０４Ｂ−１は、バンド３０２Ｂのチャンネル３０４Ｂ−１に調整され得て、送信機２０４Ｃ−１は、チャンネル３０４Ｃ−１に調整され得て、送信機２０４Ｄ−１は、チャンネル３０４Ｄ−１に調整され得る。残りのモジュール１０４は同様に、特定のチャンネルに対応し得て、送信機２０４は同様に、これらの対応するチャンネルに調整され得る。
【００４２】
トランスポンダ１０２に含まれるモジュール１０４の数は、バンド毎のチャンネル３０４の数に対応し得るが、それは各モジュール１０４はバンド３０２内の特定のチャンネル３０４に対応し得るからである。本例では、各バンド３０２は３０個のチャンネル３０２を含み得る。しがたって、トランスポンダ１０２は、それぞれが４つの送信機１０４を有する３０個の異なるモジュール１０４を含み得る。各送信機１０４は、異なるチャンネルで光信号を送信し、よって１２０の異なるチャンネルで光信号を送信する脳ｙ力をシステムに付与し得る。
【００４３】
トランスポンダ１０２は１２０の異なるチャンネルで光信号を送信し得るにも関わらず、ただ４つの異なるタイプの送信機２０４を含む一つのタイプのモジュール１０４だけが必要であろう。よって、モジュール１０４は、より低いコストで大量生産され得るし、同じ帯域幅を実現するために交換するには高価であり困難であり得る個々の、チャンネル専用コンポーネントを当てにする代わりに、システムの全帯域幅に随意に適合するように取替可能であり得る。
【００４４】
モジュール１０４はまた、送信機２０４に光学的に結合され、送信機２０４によって送信された光信号を、単一の、多重化された光信号に結合するように構成されたマルチプレクサ２０６を含み得る。たとえば、マルチプレクサ２０６−１は送信機２０４Ａ−１、２０４Ｂ−１、２０４Ｃ−１および２０４Ｄ−１からの光信号を受け、これらの光信号を単一の光信号に結合し得る。マルチプレクサ２０６は、任意の適切な波長分割マルチプレクシング技術を用いて、光信号を結合し得る。マルチプレクサ２０６は、そのような動作を実行するように構成された任意のシステム、装置、またはデバイスを含み得る。
【００４５】
トランスポンダ１０２はまた、入力ポート２０９でモジュール１０４からの光信号を受信するように構成されたサイクリックマルチプレクサ２１０を含み得る。各入力ポート２０９は、波長帯３０２内の特定のチャンネル３０４で送信された光信号を受信するように構成され得る。たとえば、入力ポート２０９−１は、チャンネル３０４Ａ−１、３０４Ｂ−１、３０４Ｃ−１および３０４Ｄ−１で送信された光信号を受信するように構成され得る。
【００４６】
各バンド３０２は、異なるサイクルのサイクリックマルチプレクサ２１０を表し得るが、それはサイクリックマルチプレクサ２１０の入力ポート２０９は、各バンド３０２の波長帯（幅）だけ離間された特定の波長またはチャンネルで送信された光信号だけを受け、結合し得るからである。たとえば、チャンネル３０４Ａ−１および３０４Ｂ−１は、バンド３０２の幅だけ離間されている。よって、入力ポート２０９−１はバンド３０２（たとえば、３０４Ａ−１、３０４Ｂ−１、３０４Ｃ−１および３０４Ｄ−１）の幅だけ離間したチャンネルで送信された光信号を受信するように構成されているので、入力ポート２０９−１は、チャンネル３０４Ａ−１で始まるバンドまたはサイクルに一つ、あるチャンネルで送信された光信号を受信するように構成され得る。入力ポート２０９−２から２０９−３０は同様に構成され得る。サイクリックマルチプレクサ２１０は、サイクルに従って光信号を受け、結合するように構成された任意のシステム、装置、またはデバイスを含み得る。
【００４７】
したがって、各モジュール１０４からの光信号は、そのモジュール１０４のチャンネルに対応する入力ポート２０９に送信され得る。たとえば、モジュール１０４−１に含まれる送信機２０４Ａ−１、２０４Ｂ−１、２０４Ｃ−１および２０４Ｄ−１は、それぞれチャンネル３０４Ａ−１、３０４Ｂ−１、３０４Ｃ−１および３０４Ｄ−１で光信号を送信し得る。よって、モジュール１０４−１を出て行く光信号は、これらのチャンネルのそれぞれで送信される光信号を含み得る。上述のように、ポート２０９−１は、チャンネル３０４Ａ−１、３０４Ｂ−１、３０４Ｃ−１および３０４Ｄ−１で送信された光信号を受信するように構成され得る。したがって、モジュール１０４−１は、モジュール１０４−１からの光信号が入力ポート２０９−１に送られるように、入力ポート２０９−１と関連し得る。モジュール１０４−２から１０４−３０は同様に、入力ポート２０９−２から２０９−３０に関連し得る。
【００４８】
サイクリックマルチプレクサ２１０は、入力ポート２０９において受信される光信号を出力ポート１０６を介して送信されるであろう単一の光出力信号に結合するように構成され得る。本実施形態では、サイクリックマルチプレクサ２１０を出て行く光信号は、１２０チャンネルと同じだけの数を含み得る。各入力ポート２０９で受信される光信号はモジュール１０４に含まれる４つのチャンネルの送信機２０４に対応する４つのチャンネルを含み得る。サイクリックマルチプレクサ２１０は、トランスポンダ１０２に含まれ得る３０個のモジュール１０４に対応する３０個の入力ポート２０９を含み得る。したがって、サイクリックマルチプレクサ２１０の単一の光出力信号は、１２０チャンネルを含み得る。もし各チャンネルが毎秒１０ギガビットで光信号を送信し得るならば、サイクリックマルチプレクサ２１０は、毎秒１．２テラビットの対応帯域幅で光信号を出力し得る。
【００４９】
よって、ＳｅｒＤｅｓスイッチ２０２とインタフェイスを取ることによって、モジュール１０４およびサイクリックマルチプレクサ２１０、トランスポンダ１０２は、他のシステムで使用される、高いコストの専用化されたコンポーネントの代わりに、低いコストの取替可能なコンポーネントを用いて、広帯域光信号を送信し得る。送信システムは、ＷＤＭモジュールの故障を許容し得て、故障はアクティブな間に修正され得る。複数レベルのマルチプレクシングおよびプラグ着脱可能なサブモジュールが使用され得る。
【００５０】
受信端のトランスポンダは、ＳｅｒＤｅｓスイッチに接続された単一のマルチ波長受信機、またはＳｅｒＤｅｓスイッチに接続された複数段のデマルチプレクシングでマルチ波長の受信機と類似の構造を含み得る。受信機はＷＤＭモジュールと別個であっても良いし、ＷＤＭモジュールに含まれていても良い。ＳｅｒＤｅｓスイッチは、信号の適切な順序付けと、これらを電気的インタフェイスから出力されるであろう適切にフォーマットされたデジタル信号ストリームに結合することを保証する。
【００５１】
図４は、低いコストで広帯域幅光信号を実現するために複数のＷＤＭとインタフェイスを取る方法の例４００を示している。
方法４００はステップ４０２で始まり得て、トランスポンダ１０２はＷＤＭモジュール１０４中の各送信機２０４を、各モジュール１０４に関連するチャンネル３０４に調整し得る。ステップ４０４では、各ＷＤＭモジュール１０４の各送信機２０４は、その関連するバンド３０２内の調整されたチャンネルで光信号を送信し得る。
【００５２】
ステップ４０６では、各モジュール１０４は送信機２０４によって送信された光信号を、単一の、多重化された、光信号に結合し得る。各モジュール１０４はまた、モジュール１０３に光学的に結合されたサイクリックマルチプレクサ２１０の入力ポート２０９に光信号を送信し得る。入力ポート２０９はモジュール１０４に関連するチャンネルで送信された光信号を受信するように構成され得る。
【００５３】
ステップ４０８では、サイクリックマルチプレクサ２１０は、入力ポート２０９で受信された光信号を、単一の光信号に結合し得る。ステップ４１０では、サイクリックマルチプレクサ２１０は光出力ポート１０６を介して単一の光信号を送信し得て、方法４００は終了し得る。
【００５４】
修正、追加、または省略が、本開示の範囲から逸脱しない範囲で方法４００に施され得る。
図２に戻ると、トランスポンダ１０２はまた、一つ以上の送信機２０４の故障を検知することを容易にする他のコンポーネントを含み得る。トランスポンダ１０２はまた、送信機２０４は所望のチャンネル３０４で送信することからドリフトしているかどうかを決定すること容易にするコンポーネントを含み得る。さらに、これら追加のコンポーネントは、新しいモジュール１０４をトランスポンダ１０２とインタフェイスを取ることを容易にし得る。
【００５５】
トランスポンダ１０２は、一つ以上の送信機２０４は故障しており、よってモジュール１０４の交換が必要であるかどうかを決定するように構成され得る。トランスポンダ１０２は、各マルチプレクサ２０６の出力に光学的に結合した、パワーモニタ２０８を含み得る。パワーモニタ２０８は、マルチプレクサ２０６から出て行く光信号のパワーを検知する、もしくは測定する、または検知し測定するように構成された任意のシステム、装置、またはデバイスを含み得る。実施形態によっては、パワーモニタ２０８は、マルチプレクサ２０６から出て行く光信号のパワー量を検知する光ダイオードまたは任意の他の適切なデバイスを含み得る。他の実施形態では、パワーモニタ２０８はコントローラに結合された光ダイオードを含み得て、コントローラは光ダイオードによって検知されたパワーを測定し、検知されたパワーに関する動作を実行するように構成されている。
【００５６】
トランスポンダ１０２は、図２に関して示されているように、各モジュール１０４に対するパワーモニタ２０８を含み得る。他の実施形態では、トランスポンダ１０２は、一つより多いモジュール１０３のパワーを監視するように構成されたパワーモニタ２０８を含み得る。そのような実施形態では、トランスポンダ１０２はまた、パワーモニタ２０８およびモジュール１０４の複数の出力に結合された（図２には示されていない）スイッチを含み得る。スイッチは、複数の入力ポートを含み得て、入力ポートでモジュール１０４からの出力信号の一部を受信するように構成され得る。スイッチはまた、パワーモニタ２０８に結合された出力ポートを含み得る。出力ポートは入力ポートの一つで受信された信号の一つを出力するように構成され得る。スイッチはまた、出力ポートが、入力ポートの各々を、所定の期間に渡り、入力ポートの各々で受信された各信号を逐次的に出力するように、入力ポートの各々を順々に切り替えるように構成され得る。
【００５７】
よって、各モジュール１０４の出力に関連しているスイッチの各入力ポートで受信された信号により、スイッチの出力は、各モジュール１０４に関連した各信号の一部を逐次的に出力し得る。したがって、スイッチの出力に結合されたパワーモニタ２０８は、複数のモジュール１０４のパワーを監視し得る。
【００５８】
実施形態によっては、パワーモニタ２０８は送信機２０４の故障を検知し得る。たとえば、パワーモニタ２０８−１は、マルチプレクサ２０６−１からの光信号のパワーを測定し得る。もし全ての送信機２０４−１が機能しているのであれば、パワーモニタ２０８−１によって検知されるパワー量は、あるレベルであり得る。しかしながら、もし一つ以上の送信機２０４−１が故障しているなら、パワーモニタ２０８−１によって検知されるパワー量は、失われている光信号のために、実質的に減少し得る。したがって、パワーモニタ２０８−１は、一つ以上のＴＸ２０４−１は故障していること、および故障した送信機に関連するチャンネルは、結果としてトラフィックを運ぶことが不可能であることを検知し得る。
【００５９】
別の実施形態では、トランスポンダ１０２は、パワーモニタ２０８によって測定されたパワーレベルを目標パワーレベルと比較することによって送信機２０４が故障していることを決定し得る。所望のまたは目標パワーレベルが、モジュール１０４を出て行く光信号に対して設定され得る。システム管理者は、目標パワーレベルを送信し得るし、または全ての構成が完了した後のモジュールの初期化の際、光信号が出て行くモジュール１０４のパワーレベルは測定され、目標パワーレベルとして設定され得る。
【００６０】
パワーモニタ２０８は、コントローラ２１６に結合され得る。一つのコントローラだけが図示されているが、他の実施形態では、各パワーモニタ２０８は、特定のパワーモニタ２０８に関する動作を指図し、実行するコントローラ２１６を含み得る。
【００６１】
コントローラ２１６は、パワーモニタ２０８によって検知されたパワーを測定し、測定されたパワーを目標パワーレベルと比較する。もし、測定されたパワーが実質的に目標パワーレベルに等しければ、コントローラ２１６は、モジュール１０４に含まれる送信機２０４で故障しているものはないことを決定し得る。しかしながら、もし測定されたパワーが、目標パワーレベルより実質的に低ければ、コントローラ２１６は、一つ以上の送信機２０４が故障していると決定し得る。コントローラは、より詳細に状況を把握するために追加の試験を実施し得る。
【００６２】
モジュール１０４内の送信機２０４が故障していると決定した後、コントローラ２１６は、図１に示されているように、インディケータ１１２が、モジュール１０４は故障した送信機２０４を含むことを指示するように指図し得る。
【００６３】
図５は、モジュール１０４内の送信機２０４が故障しているかを決定する方法の例５００を示している。
方法５００は始まり得て、ステップ５０２で、コントローラ２１０はパワーモニタ２０８または任意の他の適切なデバイスを用いて、モジュール１０４のパワー出力を測定し得る。
【００６４】
ステップ５０４では、コントローラ２１６は、測定されたパワーをモジュール１０４から出て行く光信号に対する目標パワー出力として記憶し得る。代替の実施形態では、システム管理者は、目標パワー出力レベルに対するパワーレベルを入力し得て、コントローラ２１６は、入力されたパワーレベルを目標パワー出力レベルとして記憶し得る。
【００６５】
ステップ５０６では、コントローラ２１６は、引き続きＷＤＭモジュール１０４の光出力信号のパワーレベルを測定することを続け得る。ステップ５０８では、コントローラ２１６は、測定されたパワーを記憶されている目標パワーと比較し得る。
【００６６】
ステップ５１０では、コントローラ２１６は、偏差のしきい値にしたがって、測定されたパワーが目標パワーより小さい（または大きい）かどうかを決定し得る。もし、偏差のしきい値にしたがって、測定されたパワーが目標パワーより小さくないならば、方法５００はステップ５０６に戻り得る。もし、偏差のしきい値にしたがって、測定されたパワーが目標パワーより小さいならば、方法５００はステップ５１２に進み得る。
【００６７】
偏差のしきい値は、環境条件による典型的なパワー変化、許容可能な経時劣化による誤った故障警報の発生を防止し、性能の臨界損失の適切な検知をするように選択され得る。たとえば、しきい値は、１０％の送信出力パワーの記録された最大減少に相当するように設定されても良い。４つの送信機を含むＷＤＭ中で、他の送信機からの出力パワーは増加しないと仮定すると、偏差のしきい値は２．５％（１０％／４）と設定され得る。
【００６８】
代替として、もしリンクがより大きな偏差を許容できるのであれば、偏差のしきい値は送信季語との最大許容偏差に相当するように設定され得る。たとえば、もしチャンネル毎に５０％の変化が許容され、個々の送信機の出力パワーが高々１０％上昇し、もしモジュール内に４つの送信機があるならば、偏差のしきい値は１＊（１／４）＊５０％−３＊（１／４）＊１０％＝５％と設定され得る。
【００６９】
別の実施形態では、もしレーザ出力パワーのみが減少するなら、ＷＤＭモジュールは故障した送信機を含む可能性があると決定される回数を減らすために、偏差のしきい値は、１＊（１／４）＊５０％＝１２．５％に設定され得る。最後に、予想されるドリフトによる送信機の出力パワー変化のより大きい許容可能な偏差を容認するために、システムは、周期的にまたは送信機が故障したことを決定する後に、送信機の出力パワーを再校正しても良い。よって、適切な偏差のしきい値は、システムの信頼できる動作を補償するために、特定の設計およびシステムのデバイス特性に依存して選択され得る。
【００７０】
ステップ５１２では、コントローラ２１６はモジュール１０４内の送信機２０４は減少したパワーによって故障したことを決定し得る。ステップ５１４では、コントローラ５１６はＷＤＭモジュール１０４は故障した送信機を含むことを指示し、方法５００は終了し得る。
【００７１】
修正、追加、または省略が、本開示の範囲から逸脱しない範囲で方法５００に施され得る。たとえば、目標パワーは、モジュール１０４の初期化の際に測定されても良いし、またはシステム管理者によって設定されても良い。また、方法５００はステップを実行するコントローラ２１６に関して記載してきたが、トランスポンダ１０２に含まれる任意の適切なコンポーネントが、本開示の範囲から逸脱しない範囲で、記載された一つ以上のステップを実施しても良い。
【００７２】
トランスポンダ１０２はまた、一つ以上の送信機２０４が所望のチャンネル３０４とは異なるチャンネル２０４で光信号を送信しているかどうかを決定、または検知するように構成され得る。
【００７３】
サイクリックマルチプレクサ２１０は、入力ポート２０９を受信するようには構成されていないが、それにも関わらず入力ポート２０９は送信されるチャンネルで送信された光信号を方向転換するように構成され得る。サイクリックマルチプレクサ２１０は、これらのオフセット信号を、他の光信号と結合する代わりに、あるオフセット出力２１２に方向転換し得る。サイクリックマルチプレクサ２１０は一つ以上のオフセット出力２１２を含み得る。
【００７４】
本実施形態では、サイクリックマルチプレクサ２１０はオフセット出力２１２Ａおよびオフセット出力２１２Ｂを含む。サイクリックマルチプレクサ２１０は目標チャンネルより下のチャンネルで光信号をオフセット出力２１２Ａに向けて送信するように構成され得て、そして目標チャンネルより上のチャンネルで光信号をオフセット出力２１２Ｂに向けて送信するように構成され得る。
【００７５】
入力ポート２０９は受信するようには構成されていないチャンネルで送信された光信号をオフセット出力２１２に方向転換することにより、サイクリックマルチプレクサ２１０は、送信機２０４は所望のチャンネル３０４とは異なるチャンネルで送信していることを指示し得る。
【００７６】
オフセット出力２１２はそれぞれ、オフセットモニタ２１４に結合され得る。オフセットモニタ２１４は、オフセット出力２１２から送信された光信号を検知することによって、光信号がオフセット出力２１２に方向転換されたかどうかを指示し得る。オフセットモニタ２１４はまた、オフセット出力２１２から送信された光信号のパワーを測定し得て、よって、送信機２０４が所望のチャンネル３０４とは異なるチャンネルで送信しているかどうかを決定し得るまたは決定するために用いられ得る。
【００７７】
たとえば、送信機２０４Ａ−２はチャンネル３０４Ａ−２の代わりにチャンネル３０４Ａ−１で光信号を送信することができ、よって、入力ポート２０９−２に送信される光信号は、チャンネル３０４Ａ−１で送信された光信号を含み得る。入力ポート２０９−２は、チャンネル３０４Ａ−１で送信された光信号を受信するように構成されていないかも知れないし、チャンネル３０４Ａ−１は３０４Ａ−２の目標チャンネルより下にあるので、サイクリックマルチプレクサ２１０は、オフセット出力２１２Ａに向けてチャンネル３０４Ａ−１で送信された光信号を方向転換し得る。代替として、もし送信機２０４Ａ−２が、３０４Ａ−２の目標チャンネルの変わりにチャンネル３０４Ａ−３で光信号を送信しているならば、サイクリックマルチプレクサ２１０は、チャンネル３０４Ａ−３で送信機２０４Ａ−２によって送信された光信号をオフセット出力２１２Ｂに向けて方向転換し得る。
【００７８】
モジュール１０４内の送信機２０４が故障していることを決定することに加え、コントローラ２１６はまた、オフセット出力モニタ２１４を利用することによって、どの送信機２０４が故障しているのかを決定し得る。
【００７９】
図６は、故障した送信機を識別するための方法の例６００を示している。方法６００は始まり得て、ステップ６０２で図５で開示されている方法５００と類似の方法を用いて、コントローラ２１６はモジュール１０４中の送信機２０４が故障していることを決定し得る。本例では、コントローラ２１６は、モジュール１０４−２中の送信機２０４が故障していることを決定し得る。
【００８０】
ステップ６０４では、コントローラ２１６は、モジュール１０４中の各送信機２０４を、その送信機２０４の目標チャンネルに隣接するチャンネル３０４に調整し得る。たとえば、コントローラ２１６は、送信機２０４Ａ−２を、送信機２０４Ａ−２に対する３０４Ａ−２の目標チャンネルの代わりに、チャンネル３０４Ａ−１に調整し得る。
【００８１】
ステップ６０６では、コントローラ２１６は、送信機２０４がオフセットチャンネルに調整されていることによって、オフセットモニタ２１４は光信号を検知している、または光信号のパワーを測定しているかどうかを決定し得る。本例では、コントローラ２１６は、３０４Ａ−２の代わりにチャンネル３０４Ａ−１に調整されていることによって、送信機２０４Ａ−２は送信機２０４Ａ−２からの光信号を検知しているかどうかを決定し得る。もしオフセットモニタ２１４は光信号を検知しているならば、方法６００はステップ６０８に進み得て、そうでないならば、方法６００はステップ６１０に進み得る。
【００８２】
ステップ６０８では、コントローラ２１６は、オフセットモニタ２１４によって検知されるパワーは送信機２０４は相変わらず光信号を送信していることを指示するので、もしオフセットモニタ２１４が光信号を検知するならば、送信機２０４は故障していないことを決定し得る。本例では、もしオフセットモニタ２１４Ａが光信号を検知するならば、コントローラ２１６は送信機２０４Ａ−２は故障していないと決定し得る。
【００８３】
ステップ６０９では、コントローラ２１６は、送信機２０４をその目標チャンネルに戻すように調整し得て、別の送信機２０４を、ステップ６０４で、その別の送信機２０４が故障した送信機２０４であるかどうかを決定するために、隣接するチャンネルに調整し得る。
【００８４】
本例では、ステップ６０９でコントローラ２１６は送信機２０４Ａ−２をその目標チャンネルである３０４Ａ−２に調整し得て、ステップ６０４で、送信機２０４Ｂ−２が故障しているかどうかを決定するために、送信機２０４Ａ−２を３０４Ｂ−１、その目標チャンネルである３０４Ｂ−２に隣接するチャンネルに調整し得る。
【００８５】
ステップ６１０では、コントローラ２１６は、もしオフセットモニタ２１４が光信号を受信しなければ、送信機２１４は故障していると決定し得る。本例では、もし送信機２０４Ａ−２が適切に機能しているならば、オフセットモニタ２１４Ａは、送信機２０４Ａ−２はオフセットチャンネル３０４Ａ−１に調整されているので、送信機２０４Ａ−２からの光信号を検知するであろう。よって、もし送信機２０４Ａ−２がオフセットチャンネル３０４Ａ−１に調整され、オフセットモニタ２１４Ａは光信号を検知しなければ、コントローラ２１６は送信機２０４Ａ−２が故障している、と決定し得る。
【００８６】
ステップ６１２では、コントローラ２１６は、ＳｅｒＤｅｓスイッチ２０２が電子信号を故障した送信機２０４から予備の送信機２０４に経路変更させることが出来、トラフィックは故障した送信機に関連するチャンネルから予備の送信機に関連する予備のチャンネルに経路変更され得る。本例では、送信機２０４Ａ−３０は、予備の送信機２０４を含み得て、もしコントローラ２１６が送信機２０４Ａ−２が故障していると決定すると、コントローラ２１６は、ＳｅｒＤｅｓスイッチ２０２が電子信号を故障した送信機２０４Ａ−２から予備の送信機２０４Ａ−３０に経路変更させることが出来る。代替として、チャンネルを調整する前に、トラフィックはサービスを低下させることなしに、処理６００の一部を実行するために、一時的に予備のチャンネルに転送されても良い。
【００８７】
ステップ２１４では、コントローラ２１６は、モジュール１０６内の全ての送信機２０４がチェックされているかどうかを決定し得る。もし全ての送信機２０４がチェックされているならば、方法６００は終了し得るが、さもなければ方法６００はステップ６０４に戻り、別の送信機２０４をチェックする。
【００８８】
修正、追加、または省略が、本開示の範囲から逸脱しない範囲で方法６００に施され得る。たとえば、トランスポンダ１０２はいかなる予備のモジュールまたは予備の送信機も含まなくても良く、よって、ステップ５１２は必要でなくても良い。また、特定のモジュール１０４でどの送信機が故障しているのかを決定する間に、送信機をオフセットチャンネルに調整する間に損失する情報がなくなるように、コントローラはそのモジュール中の送信機から出て行く全ての電気信号を、予備のモジュール内の送信機に向けても良い。
【００８９】
加えて、代替の実施形態では、コンとロー田２１６は各送信機２０４を隣接チャンネルと目標チャンネルの間のどこかの波長に調整し、オフセットモニタは相変わらず光信号を検知し得るようにし得るが、また送信機２０４から十分な光信号は出力１０６に送信されるようにし得る。したがって、調整されつつある送信機２０４のチャンネルで運ばれる情報は、どの送信機２０４が故障しているのかを決定すると同時に、相変わらず送信され得る。図７に関して記載されたように、この調整はまた、ＷＤＭモジュール内のレーザに関連する波長ロックまたはレーザ波長安定化機能を取り除き、コストをさらに削減するために、各レーザの波長を連続的にチェックし、任意のレーザを目標波長に再調整するために用いられ得る。
【００９０】
また、方法６００はステップを実行するコントローラ２１６に関して記載されてきたが、トランスポンダ１０２内に含まれる任意の適切なコンポーネントが、本開示の範囲を逸脱することなく、記載された一つ以上のステップを実行し得る。
【００９１】
コントローラ２１６はまた、オフセットモニタ２１４を利用することによって、モジュール１０４内の送信機がその所望の波長からドリフトしていることを決定するように構成され得る。
【００９２】
図７は、送信機２０４の波長ドリフトを検知するための方法の例７００を示している。方法７００は始まり得て、ステップ７０２で、オフセットモニタ２１４はオフセット出力２１２でパワーを測定し得る。
【００９３】
ステップ７１４では、コントローラは、光信号がオフセットモニタ２１４によって検知されたまたは測定されたかどうかを決定し得る。もしオフセットモニタ２１４はオフセット出力２１２でいかなる光信号を検知しないまたはいかなるパワーを測定しないならば、方法７００はステップ７０２に戻っても良い。もしコントローラ２１６はオフセットモニタ２１４のいずれかまたは両方のオフセットモニタ２１４は光信号を検知するならば、方法７００はステップ７０６に進み得る。
【００９４】
ステップ７０６では、コントローラ２１６は、送信機２０４は、一つ以上のオフセットモニタ２１４が一つ以上のオフセット出力２１２において光信号を検知しているまたはパワーを測定しているので、その所望のチャンネル又は波長からドリフトしたことを決定し得る。
【００９５】
ステップ７０８では、コントローラ２１６は、目標波長からドリフトしている送信機を突き止め得る。コントローラ２１６は、図８に記載されているようなオフセットモニタ２１４を利用することによって、図７のステップ７０８でどの送信機で波長ドリフトが起きているかを特定し得る。
【００９６】
ステップ７１０では、コントローラ２１６は、送信機はその目標チャンネルまたは波長に再調整され得るかどうかを決定し得る。もし送信機は単にその元々の調整からドリフトしているに過ぎず、再調整され得るのであれば、方法７００はステップ７１２に進み得る。もし送信機が調整器故障などの故障によってドリフトしているのであれば、方法７００はステップ７１４に進み得る。
【００９７】
ステップ７１２では、コントローラ２１５は送信機をその所望のチャンネルに再調整し得て、方法７００は終了し得る。
ステップ７１４では、コントローラ２１６は、モジュール１０４は故障した送信機を含むことを指示し得る。ステップ７１６では、コントローラ２１６はＳｅｒＤｅｓスイッチを、電気信号が故障した送信機から予備の送信機に経路を取るようにし得て、トラフィックは故障したチャンネルから予備のチャンネルへと別の経路を取るようにし得て、方法７００は終了し得る。
【００９８】
修正、追加、または省略が、本開示の範囲から逸脱しない範囲で方法７００に施され得る。たとえば、トランスポンダ１０２はいかなる予備のモジュールまたは予備の送信機も含まなくても良く、よって、ステップ７１６は必要でなくても良い。加えて、方法７００は波長ドリフトを有する送信機を探し出すことを記載しているが、本開示は波長ドリフトを有する一つの送信機を決定することに限定されるべきではない。さらに、方法はステップを実行するコントローラ２１６に関して記載されてきたが、トランスポンダ１０２の任意の適切なコンポーネントが、記載された幾つかまたは全てのステップを実行し得る。
【００９９】
図８はドリフトした波長を有する送信機を探し出すための方法の例８００を示している。
方法８００は始まり得て、ステップ８０２で、コントローラ２１６は送信機がその所望の波長からドリフトしていることを決定し得る。コントローラ２１６は、図７に記載された方法７００、または任意の他の適切な方法を用いてこのことを決定し得る。
【０１００】
ステップ８０４では、コントローラ２１６は、トランスポンダ１０２内の各送信機２０４によって送信される各光信号の上に異なるトーンを変調し得る。トーンは、チャンネルの波長に重ね合わされており容易に検知可能な、特有の、低周波数強度変調を含み得る。
【０１０１】
ステップ８０６では、コントローラ２１６は、オフセットモニタ２１４によって検知されたオフセット信号内のトーンを検知し得る。ステップ８０８では、コントローラ２１６は検知されたトーンと各送信機２０４に関連する他の変調されたトーンの一つを比較し得る。
【０１０２】
ステップ８１０では、コントローラ２１６は、検知されたトーンは比較されたトーンと等しいかどうかを決定し得る。もし検知されたトーンが比較されたトーンと等しくないならば、コントローラ２１６はステップ８０８に戻り得て、検知されたトーンを別のトーンと比較し得る。しかしながら、もし検知されたトーンが比較されたトーンと等しいのであれば、コントローラ２１６はステップ８１２に進み得る。
【０１０３】
ステップ８１２では、コントローラ２１６は、どの送信機２０４が検知されたトーンに関連しているのかを決定し得る。ステップ８１４では、コントローラ２１６は、検知されたトーンに関連する送信機は波長ドリフトを有することを決定し得て、方法８００は終了し得る。よって、コントローラ２１６は、どの送信機がその所望の波長からドリフトしているのかを探し出し得る。
【０１０４】
修正、追加、または省略が、本開示の範囲から逸脱しない範囲で方法８００に施され得る。たとえば、代替の実施形態では、異なるトーンを同時に各チャンネルの上に変調する代わりに、一度に一つ、コントローラ２１６は、単一のトーンを各送信機により送信された各光信号の上に変調しても良い。よって、トーンがオフセット信号で検知されるとき、コントローラ２１５は、どの送信機がオフセット信号に関連しているのかを知り得る。
【０１０５】
また、方法８００はステップを実行するコントローラ２１６に関して記載されてきたが、トランスポンダ１０２内に含まれる任意の適切なコンポーネントが、本開示の範囲を逸脱することなく、記載された一つ以上のステップを実行し得る。
【０１０６】
コントローラ２１６、パワーモニタ２０８およびオフセットモニタ２１４はまた、新しいモジュール１０４をトランスポンダ１０２とインタフェイスを取りことを容易にし得る。新しいモジュール１０４は、欠陥のあるモジュール１０４の交換、またはトランスポンダ１０２の初期化に際して、トランスポンダ１０２とインタフェイスを取り得る。
【０１０７】
図９は、ＷＤＭモジュール１０４を構成するための方法の例９００を示している。
方法９００は始まり得て、ステップ９０２で、モジュール１０４はトランスポンダ１０２に挿入され得る。一旦、新しいモジュール１０４がトランスポンダ１０２に含まれるスロットに挿入されると、光出力信号のパワーは、所望のレベルに設定される必要があり得る。各送信機２０４によって送信される各別個の光信号のパワーレベルは、全モジュール１０４の光出力信号の所望のパワーレベルを生じるために、個々に設定され、測定される必要があり得る。もし新しいモジュール１０４の全体として光出力信号のパワーレベルが設定されているならば、ある送信機２０４のパワーは別の送信機２０４よりずっと大きいかも知れないが、モジュール１０４のパワーレベルは全体として、所望のパワーレベルであり続け得る。
【０１０８】
各送信機２０４が所望のパワーレベルで送信していることを保障するために、コントローラ２１６はオフセットモニタ２１４Ａまたは２１４Ｂを用いても良い。
ステップ９０２では、コントローラ２１６は新しいモジュール１０４の送信機２１４を、その送信機２０４の所望のチャンネルに隣接するチャンネルに調整し、よって、オフセット出力２１２の一つでオフセットモニタ２１４の一つによって検知または測定されるであろう光出力信号を生成し得る。
【０１０９】
ステップ９０４では、コントローラ２１６は、オフセット出力２１２に対応するオフセットモニタ２１４を用いてオフセット出力２１２で受信される光信号のパワーを測定し得る。代替の実施形態では、オフセットモニタ２１４は、オフセットモニタ２１４によって検知された光信号のパワーを測定するそれ自身のコントローラを含み得て、そのコントローラはその情報をコントローラ２１６に運び得る。
【０１１０】
ステップ９０８では、コントローラ２１６は、オフセット出力２１２からの測定されたパワーがその送信機に対する所望のパワーであるか、または許容可能なパワーの範囲内であるかどうかを決定し得る。システム管理者は、各送信機に対する所望のパワーを決定し得る。もし測定されたパワーが所望のパワーに等しい、または許容可能なパワーの範囲内であるかならば、方法９００はステップ９１０に進み得る。もし測定されたパワーが所望のパワーに等しくない、または許容可能なパワーの範囲内でないならば、方法９００はステップ９１４に進み得る。
【０１１１】
ステップ９１０では、所望のパワーレベルに調整された送信パワーで、コントローラ２１６は、送信機２０４を隣接するチャンネルから目標チャンネルに調整し得る。
ステップ９１２では、コントローラ２１６は、新しいモジュール内の全ての送信機２０４がそれらの所望のパワーレベルに調整されているかどうかを決定し得る。もし全ての送信機２０４が調整されているならば、方法９００は終了し得る。さもなければ、方法９００は、ステップ９０４に戻り、コントローラ２１６は全ての送信機が調整されるまで、別の送信機を所望のまたは目標チャンネルに隣接するチャンネルに調整し得る。
【０１１２】
ステップ９１４では、もし、ステップ９０８で、測定されたパワーがその送信機２０４に対する所望のパワーに等しくなければ、コントローラ２１６は、送信機２１４のパワーを調整し得る。ステップ９１４の後、コントローラ２１６は再びパワーを測定するために、ステップ９０６に戻り得る。コントローラ２１６は、オフセットも似た２１４によって測定されたパワーがその送信機２０４に対する所望のパワーレベルに等しくなるまで、ステップ９０８、９１４および９０６を繰り返しても良い。ＷＤＭモジュールの全ての送信機パワーレベルの調整の後、モジュールの出力における全出力パワーは、出力パワーの低下、または故障を検知するために参照値として記録されても良い。
【０１１３】
システムは、トラフィックが一時的に予備のチャンネルに転送され得る間、出力パワーの定期的再校正を実行し得る。
修正、追加、または省略が、本開示の範囲から逸脱しない範囲で方法９００に施され得る。たとえば、一度に一つより多くのオフセットモニタを利用することによって、コントローラ２１６は一度に一つより多くのパワーを調整し得る。
【０１１４】
前述のように、モジュール１０４はアクティブモジュールおよび予備のモジュールを含み、アクティブなモジュール１０４内の送信機が故障すると、トランスポンダ１０２は、故障したアクティブな送信機２０４から予備のモジュール１０４に含まれる予備の送信機２０４に電気信号を方向転換することによって、トラフィックを故障したチャンネルから予備のチャンネルへと向け得る。用語“アクティブな”は、現在、光信号を送信しているまたは運んでいるように選定されている任意のモジュール１０４、送信機２０４またはチャンネルを指し得る。用語“予備の”は、アクティブなモジュール１０４、当初には送信機２０４またはチャンネルに関連しているトラフィックを送信するまたは運ぶように構成されている任意のモジュール１０４、送信機２０４またはチャンネルを指し得る。
【０１１５】
図１０は、トランスポンダ１０２内のアクティブなおよび予備のモジュール１０４の実装および利用の例を示している。
トランスポンダ１０２はモジュール１０４−１、１０４−２、１０４−３および１０４−４を含み得る。トランスポンダ１０２はまた、空のスロット１０３を含み得る。モジュール１０４はそれぞれ、図２に示されているように４つの送信機２０４を含み得る。しかしながら、代替の実施形態では、モジュール１０４は、４つより多いまたは少ない送信機を含み得る。４つのモジュール１０４が示されているが、トランスポンダ１０２は示されているものより多いまたは少ないモジュール１０４を含み得る。たとえば、トランスポンダ１０２は図１および２に示されているように、３０個のモジュール１０４を含み得る。加えて、トランスポンダ１０２は、示されている一つより多くの空のスロットを含み得る。示されているモジュール１０４および予備のスロット１０３の数は単に例示の目的のためである。
【０１１６】
時刻Ｔ１では、モジュール１０４−１〜１０４−３は、アクティブなモジュールを含み得て、したがって、トランスポンダ１０２はモジュール１０４−１〜１０４−３に含まれる送信機に電気信号を送り得る。たとえば、トランスポンダ１０２は、モジュール１０４−１に含まれる（明示的に示されていない）４つの送信機にそれぞれ、電気信号１００１Ａ、１００１Ｂ、１００１Ｃ、１００１Ｄを送り得る。トランスポンダ１０２は、モジュール１０４−２に含まれる（明示的に示されていない）４つの送信機にそれぞれ、電気信号１００２Ａ、１００２Ｂ、１００２Ｃ、１００２Ｄを送り得る、などである。加えて、モジュール１０４−４は、予備のモジュールを含み得て、よって、トランスポンダ１０２は当初は、モジュール１０４−４に含まれる送信機に電気信号を送らず、モジュール１０４−４に含まれる送信機は、スタンバイしている予備の送信機である。
【０１１７】
予備の送信機２０４をスタンバイにしておくために、これらの送信機２０４に関連するチャンネルは、トランスポンダ１０２の通常の動作の間は利用されない、または異なる重要ではない目的には利用されなくても良い。これらのチャンネルは、電気信号の予備の送信機への転送に関連した光信号の送信のために予約され得る。したがって、トランスポンダ１０２の対応帯域幅は、トランスポンダ１０２が実装されているシステムの帯域幅要求より高くても良い。
【０１１８】
時刻Ｔ２では、電気信号１００１Ａを受信する送信機２０４Ａ−１が故障し、故障した送信機に関連するチャンネルの故障も引き起し得る。トランスポンダ１０２は、この故障を検知し、電気振動１００１Ａをアクティブなモジュール１０４−１の故障した送信機２０４Ａ−１から予備のモジュール１０４−４に含まれる予備の送信機２０４Ａ−４に転送することによって、故障した送信機から予備の送信機にトラフィックを方向転換し得る。したがって、トランスポンダ１０２は、帯域幅を失うことなく、光信号を送信し続けることができる。
【０１１９】
加えて、空のスロット１０３の使用は、モジュール１０４０１の遅延のある交換を可能にする。第２の予備のモジュールを許容することによって、（たとえば、スロットを空にしたままで）、帯域幅の遅めの損失を避けるために、モジュール１０４−１の迅速な交換を必要としないであろう。
【０１２０】
たとえば、もし電気信号１００１Ｅを受信する送信機２０４Ａ−２が故障していたら、電気信号１００１Ｅは、予備のモジュール１０４−４に含まれる別の予備の送信機２０４に方向転換され得る。したがって、予備のモジュール１０４−４中の４つの送信機２０４のうちたった２つが電気信号を受信するために利用可能であり得て、よって２つの予備のチャンネルのみが利用可能なままである。本例では、予備のスロット１０３を利用することによって、帯域幅を失うことなく、モジュール１０４−１または１０４−２のいずれかを交換し得る。別のＷＤＭモジュール１０４が予備のスロット１０３に挿入され得る。欠陥のあるモジュールを交換するために、モジュール１０４−１または１０４−２のいずれかを取り外す際に、取り外されるモジュール中の３つの残りのアクティブな送信機に関連するチャンネルによって運ばれるトラフィックは、交換モジュールに関連するチャンネルに向けられ得て、システムは帯域幅を保持し得る。交換モジュールを受けることが可能な予備のスロット１０３なしには、予備のモジュール１０４−４は取り除かれたモジュールの以前にはアクティブな送信機に関連する３つのチャンネルから向けられたトラフィックをじゅしんすることが可能な２つの予備の送信機（および結果として２つの予備のチャンネル）を有するのみであり、よって帯域幅の損失を引き起し得る。したがって、予備のスロット１０３は欠陥のある送信機を有するモジュールの遅延のある交換を許容する。
【０１２１】
時刻Ｔ３では、モジュール１０４−１が交換される前に、電気信号１００１Ｅを受信する送信機２０４Ａ−２が故障し得て、電気信号１００１Ｊを受信する送信機２０４Ｂ−３が故障し得て、電気信号１００１Ｋを受信する送信機２０４Ｃ−３も故障し得る。これらの故障に基づいて、トランスポンダ１０２はそれぞれ、電気信号１００１Ｅ、１００１Ｊおよび１００１Ｋを、予備のモジュール１０４−４に含まれる予備の送信機２０４Ｂ−４、２０４Ｃ−４および２０４Ｄ−４に向け得る。したがって、トランスポンダ１０２は、トラフィックを故障した送信機に関連する故障したチャンネルから予備のチャンネルに切り替え得る。
【０１２２】
予備のモジュール１０４−４は今や、送信機２０４のそれぞれに向けられた電気信号１００１Ｅ、１００１Ｊおよび１００１Ｋを有し得て、予備のモジュール１０４−４に向けられ得る他のアクティブな送信機２０４からの電気信号１０１はないであろう。この時点で、もし別の送信機２０４が故障すると、予備の送信機２０４に関連する予備のチャンネルで電気信号を受信し、トラフィックを送信することができる予備の送信機がないので、故障した送信機を有する一つ以上のモジュール１０４は、交換されるべきであろう。したがって、もし別の送信機２０４が故障すると、トランスポンダ１０２の帯域幅は、システム要求より下に落ち込み得て、それは遅い通信、情報の損失またはその両方を引き起し得る。
【０１２３】
加えて、実施形態によっては、トランスポンダ１０２は、モジュール内の故障した送信機の数およびモジュール１０４の適応度など様々な因子に基づいてモジュール１０４の交換の順序を決定するように構成され得る。トランスポンダ１０２は、モジュール１０４の動作時間、モジュール１０４の温度、およびモジュール１０３の故障した送信機の数に基づいてモジュール１０４の適応度を決定し得る。別の実施形態では、トランスポンダ１０２はまた、帯域幅およびトラフィックの損失を避けるために、多数の故障したチャンネルの数がモジュールの迅速な交換を要求する前に、故障したチャンネルの全数に基づいてトランスポンダの次のサービスの推奨時間を計算するように構成され得る。トランスポンダ１０２および／またはモジュール１０４は、一つ以上のモジュール１０３の取り外しの順序、一つ以上のモジュール１０４の適応度、および次のサービスの推奨時間を指示する一つ以上のインディケータを含み得る。したがって、トランスポンダ１０２は、高価で、緊急の処理を必要とし得る予期しない問題の数を減らし得るサービスの計画の情報を計算し提供し得る。
【０１２４】
トランスポンダ１０２はまた、取り外されているモジュール１０４は、そのトランスポンダ１０２が取り外しのために用意されているモジュール１０４であることを保障するために、不適切な時刻にモジュール１０４の取外しを防ぐ、機械的ロッキング機構（たとえば、電磁ラッチ）を含み得る。したがって、ロッキング機構は、モジュール１０４の不適切な取外しによるサービスの中断を防ぎ得る。
【０１２５】
時刻Ｔ４では、システム技術者はモジュール１０４、モジュール１０４−５、を予備のスロット１０３に挿入し得る。交換モジュール１０４−５はモジュール１０４−１、１０４−２または１０４−３の一つを置き換えるが、それはそれらのモジュールのそれぞれが故障した送信機を含むからである。モジュール１０４−３は、モジュール１０４−１および１０４−２のようなものとは違って、２つの故障した送信機を有するので、最初に交換され得る。モジュール１０４−３はそれが最も多くの故障した送信機２０４を有するので最初に交換され得るが、モジュール１０４−３は必ずしも最初に交換される必要もない。時刻Ｔ４では、トランスポンダ１０２はモジュール１０４−３に関連するチャンネルにトラフィックの経路を取ることから、新しいモジュール１０４−５に関連するチャンネルにトラフィックの経路を取るように切り替え得る。
【０１２６】
たとえば、トランスポンダ１０２は、もともとはモジュール１０４−３に送信された全ての電気信号１００１を新しいモジュール１０４−５に経路を取らせ得る。たとえば、トランスポンダ１０２は電気信号１００１Ｉおよび１００１Ｌを、アクティブなモジュール１０４−３に含まれる送信機２０４Ａ−３および２０４Ｄ−３から、新しいモジュール１０４−５に含まれる送信機２０４Ａ−５および２０４Ｄ−５に経路を取らせ得て、トランスポンダ１０２は。電気信号１００１Ｊおよび１００１Ｋを、予備のモジュール１０４０４に含まれる送信機２０４Ｃ−４および２０４Ｄ−４から、新しいモジュール１０４−５に含まれる送信機２０４Ｂ−５および２０４Ｃ−５に経路を取らせ得る。
【０１２７】
したがって、予備のモジュール１０４−４に含まれる予備の送信機２０４Ｃ−４および２０４Ｄ−４、およびそれらそれぞれのチャンネルは再び、もし別のアクティブな送信機２０４が故障すると、トラフィックを送信し運ぶことが可能であり得る。加えて、モジュール１０４−３はトラフィックを中断することなくモジュール１０４−３の取り外しを許容するために、使用禁止にされ得る。
【０１２８】
時刻Ｔ５では、モジュール１０４−３は、別の交換モジュール１０４を受けるために用いられる予備のスロット１０３を残して取り外され得る。モジュール１０４−１および１０４−２も、同様の方法を用いてのちほど交換され得る。代替として、予備のモジュール１０４０４は利用可能な２つの予備の送信機２０４を有するので、モジュール１０４−１および１０４−２は交換される必要はないが、望まれるのであれば交換されても良い。しかしながら、モジュールの全てを一度に交換することは、別の時間に故障した送信機を有するモジュールを交換するために別個の訪問をする代わりに、３つ全てのモジュールを交換するためのたった一度の保守セッションが要求されるので、保守コストを低減し得る。よって、予備のモジュール１０４−４を利用し、空のスロット１０３を保持することによって、保守訪問の頻度を減らし得て、このことはまたコストを低減させ得る。
【０１２９】
修正が、本開示の範囲から逸脱しない範囲で図１０に記載された予備のモジュール１０４の実装に施され得る。たとえば、電気信号１００１は、記載されたような特定の送信機２０４に経路が取られる必要はない。電気信号１００１は、本発明の範囲から逸脱することなく予備のモジュール１０４に含まれる任意の利用可能な予備の送信機２０４に経路が取れられも良い。加えて、トランスポンダ１０２はより多くのまたはより少ないスロット１０３およびモジュール１０４を含み得る。また、各モジュール１０４は。より多くのまたはより少ない送信機２０４を含み得る。空のスロット１０３は、開示の範囲を逸脱せずに、スタンバイでＷＤＭモジュールによって占められ、サービス中の修理を可能にしながらも、一つの追加のスタンバイチャンネルを提供し得る。最後に、一つより多くのモジュール１０４は、システム要求および能力に依存して、予備のモジュール１０４として利用され得る。
【０１３０】
図１１は予備のモジュール１０４および予備のスロット１０３を利用する方法の例１１００を示している。
方法１１００は始まり得て、ステップ１１０２で、トランスポンダ１０２はモジュール１０４の一つの送信機が故障しているかを決定し得る。もし送信機が故障していなければ、トランスポンダ１０２はステップ１０２で故障した送信機を監視し続ける。しかし、もし送信機が故障していれば、方法１１００はステップ１１０４に進み得る。
【０１３１】
ステップ１１０４では、トランスポンダ１０２はチャンネルがトラフィックを運ぶために使用可能かどうかを決定し得る。例によっては、トランスポンダ１０２は予備のモジュールに含まれる予備の送信機じゃ、もともと故障した送信機に経路が取られている電気信号を受信するために使用可能かどうかを決定し得る。もし、予備の送信機は利用可能であれば、ステップ１１０６で、トランスポンダ１０２はトラフィックを故障したチャンネルから予備のチャンネルに経路を選び直し得る。トランスポンダ１０２は、故障した送信機から故障した送信機に送信された電気信号を、予備のモジュールに含まれる利用可能な予備の送信機に経路を取らせることによって、トラフィックの経路を選び直し得て、方法１１００は、トランスポンダ１０２が、もっと故障した送信機がないかを監視するためのステップ１１０２に戻り得る。
【０１３２】
もし、ステップ１１０４で、トランスポンダ１０２が利用可能な予備のチャンネル（たおてば、予備の送信機）がないと決定すれば、トランスポンダ１０２は、ステップ１１０８で、交換モジュールが必要であることを指示し得る。トランスポンダ１０２はネットワーク管理者に警告を出す信号を送信する、またはこれ以上利用可能な呼びの送信機がないことおよび送信帯域幅が故障によって保護されないことを管理者に通知し得る任意の他の適切な動作を実行し得る。
【０１３３】
もし全ての時間で、保護を保障するポリシーがあり、トランスポンダ１０２はステップ１１０４で、２つ以下の予備の利用可能な送信機が存在することを決定するならば、トランスポンダ１０２は、故障した送信機１０２から予備の送信機１０２に電気信号が経路を取るようにし得て、同時にモジュール交換が必要であることを指示する。
【０１３４】
ステップ１１１０では、トランスポンダ１０２は、そのモジュールが故障した送信機を含んでいるのかを指示し得る。実施形態によっては、トランスポンダ１０２は、インディケータ１１２を作動させる信号を送信し得る。インディケータ１１２は一般に、モジュールは故障した送信機を含むことを指示し得るし、インディケータ１１２は特に、モジュール内の故障した送信機の数を指示し得るし、インディケータ１１２は、モジュールに含まれるどの送信機が故障しているのかを指示し得るし、またはこれらの任意の組み合わせをし得る。したがって、保守要員はどのモジュール１０４が交換されるべきであるかを決定し得るし、またそのモジュール１０４が交換に対してより高い優先度を有するのかを決定し得る。加えて、システムはオペレータにその順序で故障したモジュールを交換するのかの案内を提供し得る。ステップ１１１２では、故障した送信機を有するモジュールが交換され得て、方法１１００は終了し得る。
【０１３５】
図１２は、方法１１００のステップ１１１２に従って実行され得る、故障した送信機を有するモジュールを交換する方法の例１２００を示している。
方法１２００は始まり得て、ステップ１２０２で、交換モジュールはトランスポンダ１０２の予備のスロットに挿入され得る。ステップ１２０４では、トランスポンダ１０２は、交換されるべきモジュールの、故障した送信機にもともとは関連していた全ての電気信号を、現在電気信号が、受信している予備の送信機から交換モジュールに経路を取るようにさせ得る（たとえば、図１０の時刻Ｔ４において、トランスポンダ１０２は、電気信号１００１Ｊおよび１００１Ｋを予備のモジュール１０４−４から交換モジュール１０４−５に経路を取らせる）。
【０１３６】
ステップ１２０６では、トランスポンダ１０２は、交換されるべきモジュールのまだアクティブな送信機に送信された全てのトラフィックを、交換モジュールに経路を取らせ得る（たとえば、トランスポンダ１０２は、図１０の時刻Ｔ４において、電気信号１００１Ｉおよび１００１Ｌをアクティブなモジュール１０４−３から交換モジュール１０４−５に経路を取らせる）。ステップ１２０４および１２０６は２つの別々のステップとして記載されているが、図１０に示されているように、トランスポンダ１０２また、ステップを同時に実行し得る。
【０１３７】
ステップ１２０８では、欠陥のあるモジュールが取り外され得る。ステップ１２１０では、トランスポンダ１０２あ、全ての欠陥のあるモジュールが交換されたかを決定し得る。もし全ての欠陥のあるモジュールが交換されたならば、方法１２００はステップ１２１２に進む。もし全ての欠陥のあるモジュールが交換されていないならば、方法１２００は別の欠陥のあるモジュールを交換するためにステップ１２０２に戻る。
【０１３８】
ステップ１２１２では、新しい取り外された血管のあるモジュールによって以前は占められていたスロットは、別のモジュールが交換される必要が生じ得るまで空のままであり得る。代替として、空のスロットは、図１３に関連してより詳細に議論されるように、追加の予備のＷＤＭモジュールで占められていても良い。ステップ１２１２に引き続いて、方法１２００は終了する。
【０１３９】
追加、修正、または省略が、本開示の範囲から逸脱しない範囲で方法１２００に施され得る。たとえば、方法１２００は、全ての欠陥のあるモジュールが交換されるまで方法１２００を繰り返すことが記載されているが、方法１２００は欠陥のあるモジュールの数より少ないモジュールを交換するために利用され得る。加えて、方法１２００は、欠陥があると思われていないが、しかし何か別の理由により交換されても良いモジュールを交換するために用いられても良い。
【０１４０】
図１０〜１２は、一つの予備のモジュールをトランスポンダ１０２と共に利用し、スロット１０３を空のままにしておくことの例を記載している。図１３は予備のスロット１０３を有することなく、アクティブなおよび予備のモジュールを利用する実施形態の例を示す。
【０１４１】
時刻Ｔ１では、トランスポンダ１０２はアクティブなモジュール１０４−１、１０４−２、および１０４−３を含み得る。時刻Ｔ１において、トランスポンダ１０２は、アクティブなモジュール１０４−１、１０４−２、および１０４−３に含まれるアクティブな送信機に関連したアクティブなチャンネルにトラフィックを送信し得る。たとえば、トランスポンダ１０２は図１０に関して記載したように、図１０の電気信号１００１と同様の電気信号１３０１を、アクティブなモジュール１０４−１、１０４−２、および１０４−３に含まれる（明示的に示されていない）送信機に向け得る。トランスポンダ１０２はまた、図１０の予備のモジュール１０４−４と類似の、予備のモジュール１０４−４を含み得るが、しかしながら、図１０とは似つかず、トランスポンダ１０２はまた、空のスロット１０３を単に保持することに代わって、予備のモジュール１０４−５を含み得て、より多くの予備のチャンネルを利用可能にし得る。
【０１４２】
時刻Ｔ２では、電気信号１３０１Ａ、１３０１Ｅ、１３０１Ｈ、１３０１Ｊおよび１３０１Ｌを受信する送信機は全て故障し得て、それらのそれぞれのチャンネルに故障を引き起し得る。トランスポンダ１０２は、これらの電気信号１３０１を予備のモジュール１０４−４および１０４−５に含まれる予備の送信機に方向転換することによって、故障したチャンネルから予備のチャンネルに転送（ｒｅｄｉｒｅｃｔ)し、トランスポンダ１０２はまた、アクティブなモジュール１０４−１、１０４−２、１０４−３に、それらは一つ以上の欠陥のある送信機を含み、よって交換される必要があり得ることを指示させる。
【０１４３】
予備のモジュール１０４−４で利用されている全ての予備の送信機と、予備のモジュール１０４−５に残っている３つだけの予備の送信機を用いて、欠陥のある送信機を有する少なくとも一つのアクティブなモジュール１０４は、もしトランスポンダ１０２が、故障した送信機を有する任意のモジュールの交換の際に、システムの要求帯域幅を保持するのであれば、別の送信機が故障する前に交換される必要があり得る。たとえば、電気信号１３０１Ｉを受信する送信機はまた、故障し得て、よってトランスポンダ１０２は電気信号１３０１Ｉを予備のモジュール１０４−５の中の予備の送信機に転送し、よって別の予備のチャンネルを利用し得る。しかしながら、今や２つの予備のチャンネル（たとえば、送信機）のみが利用可能であり得る。モジュール１０４−１を交換することは、モジュール１０４−１に含まれる３つの送信機２０４に送信された電気信号（たとえば、電気信号１３０１Ｂ、１３０１Ｃおよび１３０１Ｄ）はモジュール１０４−１が取り外される前に転送される必要があるので、情報または帯域幅の損失なしにはやり遂げることができない。したがって、モジュール１０４は、そのようなシナリオが起こる前に交換され得る。
【０１４４】
直前で記載したシナリオを避けるために、時刻Ｔ３では、トランスポンダ１０２はモジュール１０４−１が交換される準備をし得る。トランスポンダ１０２は、トラフィックをモジュール１０４−１に関連するチャンネルから予備のチャンネルに向け得る。たとえば、モジュール１０４−１中のアクティブで、動作中の送信機に向けられている電気信号は、予備のモジュール１０４−５の利用可能な予備の送信機に向けられ得る（たとえば、トランスポンダ１０２は電気信号１３０１Ｂ〜１３０１Ｄをモジュール１０４−５に含まれる送信機に向け得る）。トラフィックが予備のチャンネルに向けられた後、（たとえば、電気信号が転送され）、モジュール１０４−１は利用不可能にされ得る。
【０１４５】
時刻Ｔ４では、モジュール１０４−１は交換モジュール１０４−６によって交換され得る。トランスポンダ１０２は、電気信号１３０１Ｂ〜１３０１Ｄを交換モジュール１０４−６に含まれる送信機に経路を取らせ得る。したがって、予備のモジュール１０４−４は、以前に電気信号１３０１Ａを受信していた利用可能な予備の送信機を有し、電気信号１３０１Ｂ〜１３０１Ｄを受信していた予備のモジュール１０４−５に含まれる送信機はまた、利用可能である。結果として、予備のモジュール１０４−５に関連する予備のチャンネルはトラフィックを運ぶために利用可能であり得る。モジュール１０４−２および１０４−３はまた、同様の方法で、トランスポンダ１０２が欠陥のあるモジュールを含まなくなるように交換され得る。
【０１４６】
本例では、モジュールの交換前に、一つの送信機だけがモジュール１０４−５内で利用され得るが、一つの送信機と一つの空のスロットの代わりにトランスポンダ１０２内のスロットを占める２つの予備のモジュールを有することは、モジュールの交換が必要である以前に、より多くの送信機が故障することを許容する。図１０とは対照的に、図１３の本例では、４つではなく５つの送信機が故障し得る。予備のスロット１０３を占めることによって、欠陥のあるモジュールを交換することが必要となる前に、追加の送信機が故障し得る。予備のスロットを占めることの初期コストは、実装時に追加の一つのモジュールが用いられる必要があり得るがゆえに、若干高めかも知れない。しかしながら、総コストは低減され得て、保守訪問を必要とする前に余分な送信機が故障することを許容することは保守訪問およびコストを低減し得る。
【０１４７】
代替の例では、トランスポンダ１０２は、モジュールごとの故障した送信機の数を決定するように構成され得る。もしモジュールが一つより多くの故障した送信機を有するならば、トランスポンダ１０２はこのことを決定することができ、モジュールの交換が要求される前にそれらに電気信号１３０１の経路を取らせ得る。
【０１４８】
たとえば、時刻Ｔ２では、トランスポンダ１０２は、もし交換される必要があるモジュールがモジュール１０４−１でないならば、モジュールの交換が必要である前に、別のアクティブな送信機が故障し得ることを決定し得る。モジュール１０４−２および１０４−３はそれぞれ２つの故障した送信機を有し、よって、それぞれは電気信号１３０１を受信し、２つの動作している送信機に関連するチャンネルにトラフィックを送信する２つだけのアクティブな動作している送信機を有している。したがって、２つの利用可能な予備の送信機のみが取り外され、モジュール１０４−２および１０４−３を交換する必要があり得る。よって、時刻Ｔ２では、もし別の送信機（たとえば、時刻Ｔ２で電気信号１３０１Ａを受信する予備の送信機）が故障したとしても、トラフィックの経路を別の予備のチャンネル（たとえば、モジュール１０４−４中の故障した送信機から１０４−５中の予備の送信機に経路を取られた電気信号１３０１Ａを受信する予備の送信機）に経路変更することを要求し、十分な数の予備の送信機が、相変わらずモジュール１０４−２および１０４−３の交換のために利用可能であり続け得る。
【０１４９】
空の予備のスロットが、追加の予備のチャンネルを提供し得る予備のＷＤＭモジュールで占められているとき、トランスポンダ１０２は、どのアクティブなＷＤＭモジュールまたは複数のモジュールが最大数の故障したチャンネルを含みのかを決定することによって、予備のモジュールで予備の送信機が利用可能か否かを決定し得る。トランスポンダ１０２は、最大数の故障している送信機を有するＷＤＭモジュールまたは複数のモジュール中のアクティブな動作している送信機の数と、未使用の予備のチャンネルの数を比較し得る。もし未使用の予備のチャンネルの数が、最大数の故障している送信機を有するＷＤＭモジュール中のアクティブな動作しているチャンネルの数以下であるならば、トランスポンダ１０２は十分な数の予備のチャンネルが利用可能でないことを決定し得る。
【０１５０】
空の予備のスロットが占められており、もし全ての時間で、保護を保障するポリシーがある場合、トランスポンダ１０２はトラフィックを、故障した送信機から予備に向け得て、同時に、もし未使用の予備のチャンネルが未利用の予備のチャンネルより一つ多い、または少ないならば、モジュール交換が必要であることを指示し得る。
【０１５１】
しかしながら、そのようなシナリオでは、最大数の故障している送信機を有するＷＤＭモジュールまたは複数のモジュールは、帯域幅損失を防ぐために最初に交換される必要があり得る。したがって、トランスポンダ１０２およびモジュール１０４はまた、そのモジュールが最初に交換されるべきかを指示し、保安要員が適切な順序でモジュールを交換することを許容する機能を要求し得る。実施形態によっては、トランスポンダ１０２はまた、インディケータ１１２に、モジュールの交換の優先度、どのモジュールまたは複数のモジュールが最も多くの故障した送信機を含むのか、各モジュールでどの個別の送信機が故障しているのか、またはこれらの組み合わせを指示させ得る。調整可能な送信機に対して用いられている技術に依存して、一つの故障した送信機はＷＤＭモジュール中の全ての送信機の平均的信頼度より悪くない結果であり得て、同一のモジュール内の複数の送信機の故障はもっとありそうなことである。よって、可能性として、モジュールの交換を要求する前に、より多くの送信機さえも故障し得て、保守訪問に関連するコストをさらに減らし得る。
【０１５２】
修正、追加または省略が図１３に記載されたような予備のモジュールの実装に施され得る。たとえば、より多くの予備のモジュール１０４が利用され得て、トランスポンダ１０２はまたより多くまたはより少ないアクティブなモジュールを含み得る。したがって、モジュール１０４−１は交換されるべき第一のモジュールとして記載されたが、モジュール１０４は本開示の範囲を逸脱せずに任意の順序で交換され得る。
【０１５３】
また、図１３のトランスポンダ１０２は、図１０に関連して記載されたと同様に、モジュールの適応度、モジュール１０４の交換順序、およびトランスポンダ１０２の次のサービス時間を決定するように構成され得る。したがって、トランスポンダ１０２は、図１０に関して記載されたと同様の機械的ロッキング機構を含み得る。
【０１５４】
さらに別の実施形態では、コントローラおよびＳｅｒＤｅｓスイッチを含むトラフィック分配回路は、トラフィックを複製し、予備のチャンネルに一つのコピーを送信するように構成され得る。別の実施形態では、トラフィック分配回路は、故障したチャンネルによって運ばれるトラフィックは、特定の補償された送電容量を保持するために予備のチャンネルを用いて任意の他の方法で送信されるように構成され得る。
【０１５５】
たとえば、トラフィック分配回路は、予備のモジュール１０４−４から４つの波長と予備のモジュール１０４−５から一つの波長を並列に、一つの故障したチャンネルに対応するトラフィックを全部で５つの物理的な予備のチャンネルにわたり送信するために用いることができる。したがって、予備のチャンネルは、物理的な予備のチャンネルの代わりに、仮想的なまたは論理的な予備のチャンネルを含み得る。
【０１５６】
図１４は、トランスポンダ１０２内の２つの予備のスロットを占めている２つの予備のモジュールを利用する方法の例１４００を示している。方法１４００は始まり得て、ステップ１４０２で、トランスポンダ１０２はモジュールに含まれる送信機が故障しているかどうかを決定し得る。もし送信機が故障しているなら、方法１４００はステップ１４０４に進み、さもなければ、方法１４００は開始に戻る。
【０１５７】
ステップ１４０４では、トランスポンダ１０２は、第１の予備のモジュールの予備のチャンネルに関連した予備の送信機が利用可能であるかどうかを決定し得る。もし第１の予備のモジュールが予備の送信機を含むのであれば、トランスポンダ１０２はステップ１４０６で、電気信号を故障した送信機から予備の送信機に向けることができ、トラフィックは予備のチャンネルに再転送される。ステップ１４０６に引き続き、トランスポンダ１０２は、ステップ１４０２で故障した送信機を検知することを再開し得る。ステップ１４０４で第１の予備のモジュール内に利用可能な予備の送信機がなければ、ステップ１４０８で、トランスポンダ１０２は電気信号を第２の予備のモジュールに含まれる予備の送信機に向けることができ、トラフィックは第２の予備のモジュールに関連した予備のチャンネルに再転送される。
【０１５８】
ステップ１４１０では、トランスポンダ１０２はどのモジュールまたは複数のモジュールが最も多くの故障した送信機を含むのかを決定し得る。ステップ１４１２では、トランスポンダ１０２はまた、最も多くの故障した送信機を含むモジュールまたは複数のモジュール内のアクティブな動作している送信機の数を決定し得る。別の実施形態では、トランスポンダ１０２は、ステップ１４１０および１４１２を逆の順序または同時に実行し得る。
【０１５９】
ステップ１４１２では、もし第２の予備のモジュール内の利用可能な予備のチャンネルに関連した利用可能な予備の送信機の数が、最も多くの故障した送信機を含むモジュールまたは複数のモジュール内のアクティブな動作している送信機の数より多ければ、方法１４００はステップ１４０２に戻り得て、トランスポンダ１０２はより多くの故障した送信機を監視し得る。さもなければ、方法１４００はステップ１４１６に進み得る。
【０１６０】
ステップ１４１６では、トランスポンダ１０２は一つ以上のモジュールが交換される必要があることを指示する。上述のように、一旦、第２の予備のモジュール中の利用可能な予備の送信機の数が、最も多くの故障した送信機を含むモジュールまたは複数のモジュール内のアクティブな動作している送信機の数以下であるだけで、故障した送信機を有する一つ以上のモジュールは、別の送信機が故障する前に、帯域幅損失を防ぐ目的で、交換される必要があり得る。
【０１６１】
ステップ１４１８では、トランスポンダ１０２はどのモジュールが交換される必要があるかを指示し、またモジュールの交換の優先度（たとえば、最大数の故障した送信機を有するモジュールの交換を最初にする）を指示し得る。ステップ１４１８に引き続き、故障した送信機を有するモジュールは交換され得て、方法１４００は終了し得る。
【０１６２】
トランスポンダが利用可能な予備のチャンネルが存在しないと決定し、実際にトラフィックを運ぶために利用可能な未使用の送信機が存在しなかろうときに、トランスポンダ１０２は相変わらず、追加の故障した送信機からトラフィックを転送し得る。この状況では、容量低下ないしにシステムを修理することは不可能になり得るが、容量の低下を遅らせることができるし、臨界レベルの警告を発することができ、帯域幅を保持するために代替のソリューションを見出すための時間を提供する。
【０１６３】
修正、追加、または省略が、本開示の範囲から逸脱しない範囲で方法１４００に施され得る。たとえば、ステップ１４１６および１４１８は組み合わされても良いし、記載されたのとは逆の順序で実行されても良い。加えて、トランスポンダ１０２は一旦、電気信号が第２の予備のモジュール内の一つの送信機に送信されるとモジュールが交換される必要があることを決定し得て、交換の順序の優先順序をつけることなく、故障した送信機を有する任意のモジュールの交換を許容する。そのような実装は、ステップ１４１０、１４１２および１４１４を実行する必要をなくし得る。また、もしポリシーがトラフィックが保護されるい状態を保持するものであるなら、モジュールを交換するための警告または警報が、最後の予備のチャンネルが用いられる前に与えられえるべきであろう。加えて、トランスポンダは、帯域幅を減少させることなくＷＤＭモジュールの交換を不可能とするとしても、トラフィックを予備のチャンネルに転送し得る。
【０１６４】
図１５は、方法１４００のステップ１４２０に従う故障した送信機を有するモジュールを交換する方法の例１５００を示している。
方法１５００は始まり得て、ステップ１５０２で、トランスポンダ１０２は交換されるべきモジュールのアクティブな送信機から出された全ての電気信号を第２の予備のモジュール中の利用可能な予備の送信機に経路を取らせ得る。結果として、トラフィックは第２の予備のモジュールに関連したチャンネルに再転送され得る。
【０１６５】
ステップ１５０４では、欠陥のあるモジュールが取り外され得て、ステップ１５０６では、新しいモジュールが以前に欠陥のあるモジュールによって占められていたスロットに挿入され得る。
【０１６６】
ステップ１５０８では、トランスポンダ１０２はもともと欠陥のあるモジュールに関連していた電気信号を、今やトラフィックを新しいモジュールに関連したチャンネルに経路を取らせるために、新しいモジュールに含まれる送信機に向け得る。ステップ１５１０では、欠陥のあるモジュールの全てが交換されたかどうかを決定し得る。もし全ての欠陥のあるモジュールが交換されているならば、方法１５００は終了し得て、さもなければ方法１５００はステップ１５０２に戻り得る。
【０１６７】
追加、修正、または省略が、本開示の範囲から逸脱しない範囲で方法１５００に施され得る。たとえば、方法１５００は、欠陥のあるモジュールの全てより少ないモジュールを交換するために利用され得る。加えて、方法１５００は、交換される各モジュールの優先度を指示するステップを含み得る。
【０１６８】
本開示およびその利点を詳細に記載してきたが、様々な変更、置き換えおよび代替が、以下のクレームによって定義される本開示の目的および範囲から逸脱せずに本明細書中でなされ得ることは理解されよう。
【図１Ａ】
0005834714.tif 000002
【図１Ｂ】
0005834714.tif 000003
【図２】
0005834714.tif 000004
【図３】
0005834714.tif 000005
【図４】
0005834714.tif 000006
【図５】
0005834714.tif 000007
【図６】
0005834714.tif 000008
【図７】
0005834714.tif 000009
【図８】
0005834714.tif 000010
【図９】
0005834714.tif 000011
【図１０】
0005834714.tif 000012
【図１１】
0005834714.tif 000013
【図１２】
0005834714.tif 000014
【図１３】
0005834714.tif 000015
【図１４】
0005834714.tif 000016
【図１５】
0005834714.tif 000017